(57)【要約】  通信方法では、電気機器により処理が施された物品の画像データを生成し（Ｓ３０２）、物品に施される処理を示す電気機器の設定情報を取得し（Ｓ３０３）、取得された設定情報を変換することで、汎用形式の設定情報である基準設定情報を生成し（Ｓ３０４）、生成された画像データに、生成された基準設定情報を付加することにより、合成データを生成し（Ｓ３０５）、生成された合成データを蓄積サーバへ送信する（Ｓ３０６）。例えば、通信方法では、電気機器との間で近接無線通信を行うことにより、物品に処理が施されたときの電気機器の設定情報を取得する。
2014054220.tif 000002
【特許請求の範囲】
【請求項１】
電気機器により処理が施された物品の画像データを生成し、
前記物品に施される前記処理を示す前記電気機器の設定情報を取得し、
取得された前記設定情報を変換することで、汎用形式の設定情報である基準設定情報を生成し、
生成された前記画像データに、生成された前記基準設定情報を付加することにより、合成データを生成し、
生成された前記合成データを蓄積サーバへ送信する
通信方法。
【請求項２】
前記通信方法では、
前記電気機器との間で近接無線通信を行うことにより、前記物品に前記処理が施されたときの前記電気機器の設定情報を取得する
請求項１に記載の通信方法。
【請求項３】
前記通信方法では、
前記電気機器の特定機種の専用形式の設定情報に対応付けて、前記電気機器の機種に依存しない汎用形式の設定情報を格納する変換テーブルを参照して、取得された前記設定情報を変換して、前記基準設定情報を生成する
請求項１又は２に記載の通信方法。
【請求項４】
前記通信方法では、
カメラを用いて前記物品を被写体とする写真を撮影することで、前記画像データを生成する
請求項１〜３のいずれか１項に記載の通信方法。
【請求項５】
前記通信方法では、
Ｅｘｉｆ（Exchangeable image file format）規格に準拠した形式で、前記画像データに対して前記基準設定情報を付加することにより、前記合成データを生成する
請求項１〜４のいずれか１項に記載の通信方法。
【請求項６】
前記通信方法では、
ユーザの操作により入力される前記電気機器の設定情報を受け付け、受け付けた前記電気機器の設定情報を、前記物品に施される処理を示す設定情報として取得する
請求項１に記載の通信方法。
【請求項７】
電気機器により処理が施された物品の画像データを生成し、
前記物品に施される前記処理を示す前記電気機器の設定情報を取得し、
取得された前記設定情報を処理サーバへ送信し、前記設定情報から変換された汎用形式の設定情報である基準設定情報を特定する情報を前記処理サーバより取得し、
生成された前記画像データに、取得された前記基準設定情報を特定する情報を付加することにより、合成データを生成し、
生成された前記合成データを蓄積サーバへ送信する
通信方法。
【請求項８】
電気機器により処理が施された物品の画像データを生成し、
前記物品に施される前記処理を示す前記電気機器の設定情報を取得し、
生成された前記画像データに、取得された前記設定情報を付加することにより、合成データを生成し、
生成された前記合成データを蓄積サーバへ送信する
通信方法。
【請求項９】
物品を被写体とする画像の画像データを含むデータであって、前記物品に対して第一電気機器により施される処理を示す第一設定情報を付加された合成データを取得し、
取得された前記合成データから、前記第一設定情報を分離し、
ユーザによって予め指定される電気機器のうち、取得された前記第一設定情報が示す処理を施すことができる電気機器である第二電気機器により実行可能な形式の第二設定情報へ、分離された前記第一設定情報を変換し、
変換されることで生成された前記第二設定情報を前記第二電気機器に送信する
機器制御方法。
【請求項１０】
前記機器制御方法では、
前記ユーザによって予め指定される電気機器のうち、前記ユーザの操作により入力される電気機器特定情報により特定される電気機器である前記第二電気機器により実行可能な形式の第二設定情報へ、分離された前記第一設定情報を変換する
請求項９に記載の機器制御方法。
【請求項１１】
前記機器制御方法では、
記憶部に記憶される、前記第一設定情報と前記第二設定情報との変換テーブルを参照して、分離された前記第一設定情報を変換する
請求項９又は１０に記載の機器制御方法。
【請求項１２】
前記機器制御方法では、
電気機器との間で近接無線通信を行い、
前記ユーザによって予め指定される電気機器のうち、前記近接無線通信の通信相手の電気機器である前記第二電気機器により実行可能な形式の第二設定情報へ、分離された前記第一設定情報を変換し、
変換されることで生成された前記第二設定情報を前記近接無線通信により前記第二電気機器へ送信する
請求項９に記載の機器制御方法。
【請求項１３】
物品を被写体とする画像の画像データを含むデータであって、前記物品に対して前記第一電気機器により施される処理を示す第一設定情報を付加された合成データを、蓄積サーバから取得し、
取得された前記合成データから、前記第一設定情報を分離し、
分離された前記第一設定情報を処理サーバへ送信し、
ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信し、
受信された前記第二設定情報を前記第二電気機器に送信する
機器制御方法。
【請求項１４】
前記機器制御方法では、
前記第一設定情報は、汎用形式の設定情報である
請求項９〜１３のいずれか１項に記載の機器制御方法。
【請求項１５】
電気機器により処理が施された物品の画像データの送信を受け付けるインタフェースを提供するステップと、
前記物品に施された前記処理を示す前記電気機器の設定情報の送信を受け付けるインタフェースを提供するステップと、
汎用形式の設定情報であって、前記物品に施された処理を示す前記電気機器の設定情報を変換することにより得られる基準設定情報を、送信された前記画像データに付加することにより生成される合成データを特定する情報を提供するインタフェースを提供するステップとを含む
インタフェース提供方法。
【請求項１６】
第一電気機器に処理を施された物品を被写体とする画像の画像データに、前記第一電気機器が前記処理を前記物品に施したときの設定情報を示す第一設定情報を付加された合成データを送信することの要求を受け付けるインタフェースを提供するステップと、
前記合成データから分離された第一設定情報を、ユーザにより予め指定される電気機器のうち、分離された前記第一設定情報が示す処理を施すことができる電気機器である第二電気機器により実行可能な形式に変換することで得られる第二設定情報を、前記第二電気機器に送信することを促すインタフェースを提供するステップとを含む
インタフェース提供方法。
【請求項１７】
請求項１に記載の通信方法をコンピュータに実行させるためのプログラムが記載された記録媒体。
【請求項１８】
請求項９に記載の機器制御方法をコンピュータに実行させるためのプログラムが記載された記録媒体。
【請求項１９】
電気機器により処理が施された物品の画像データを生成する画像生成部と、
前記物品に施される前記処理を示す前記電気機器の設定情報を取得する設定情報取得部と、
取得された前記設定情報を変換することで、汎用形式の設定情報である基準設定情報を生成する基準設定情報生成部と、
生成された前記画像データに、生成された前記基準設定情報を付加することにより、合成データを生成する合成部と、
生成された前記合成データを蓄積サーバへ送信する送信部とを備える
通信装置。
【請求項２０】
電気機器により処理が施された物品の画像データを生成する画像生成部と、
前記物品に施される前記処理を示す前記電気機器の設定情報を取得する設定情報取得部と、
取得された前記設定情報を処理サーバへ送信し、前記設定情報から変換された汎用形式の設定情報である基準設定情報を特定する情報を前記処理サーバより取得する基準設定情報取得部と、
生成された前記画像データに、取得された前記基準設定情報を特定する情報を付加することにより、合成データを生成する合成部と、
生成された前記合成データを蓄積サーバへ送信する送信部とを備える
通信装置。
【請求項２１】
物品を被写体とする画像の画像データを含むデータであって、前記物品に対して前記第一電気機器により施される処理を示す第一設定情報を付加された合成データを取得する画像データ取得部と、
取得された前記合成データから、前記第一設定情報を分離する設定情報分離部と、
ユーザによって予め指定される電気機器のうち、取得された前記第一設定情報が示す処理を施すことができる電気機器である第二電気機器により実行可能な形式の第二設定情報へ、分離された前記第一設定情報を変換する設定情報変換部と、
変換されることで生成された前記第二設定情報を前記第二電気機器に送信する送信部とを備える
機器制御装置。
【請求項２２】
物品を被写体とする画像の画像データを含むデータであって、前記物品に対して前記第一電気機器により施される処理を示す第一設定情報を付加された合成データを、蓄積サーバから取得する画像データ取得部と、
取得された前記合成データから、前記第一設定情報を分離する設定情報分離部と、
分離された前記第一設定情報を処理サーバへ送信する設定情報送信部と、
ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信する設定情報受信部と、
受信された前記第二設定情報を前記第二電気機器に送信する送信部とを備える
機器制御装置。
【発明の詳細な説明】
【技術分野】
【０００１】
本発明は、通信方法、通信装置、機器制御方法、及び、機器制御装置に関する。
【背景技術】
【０００２】
従来、画像データを共有するためのサーバを介して、電気機器で処理を施された物品を被写体とする画像データを複数のユーザ間で共有することができる。【０００３】
電気機器の操作情報、又は、センサ情報などの環境情報を画像ファイル内に埋め込むことで画像上に環境情報を視覚化する技術が開示されている（例えば、特許文献１）。特許文献１によれば、ユーザは、画像ファイルを閲覧するだけで直感的に環境情報を取得し、その環境を制御することができる。
【先行技術文献】
【特許文献】
【０００４】
【特許文献１】特開２００５−２５０７３４号公報
【発明の概要】
【発明が解決しようとする課題】
【０００５】
上記のサーバを介して画像ファイルを取得したユーザが、当該画像ファイルの被写体である物品に対して施された電気機器の処理の内容を取得すること、及び、その処理を再現することができないという問題がある。【０００６】
そこで、物品が処理された時の電気機器の設定情報の共有を可能とする通信方法等を提供することを目的とする。
【課題を解決するための手段】
【０００７】
上記課題を解決するために、本発明の一様態に係る通信方法は、電気機器により処理が施された物品の画像データを生成し、前記物品に施される前記処理を示す前記電気機器の設定情報を取得し、取得された前記設定情報を変換することで、汎用形式の設定情報である基準設定情報を生成し、生成された前記画像データに、生成された前記基準設定情報を付加することにより、合成データを生成し、生成された前記合成データを蓄積サーバへ送信する通信方法である。【０００８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明にかかる通信方法等により、電気機器で処理を施された物品の画像とともに、当該処理時の電気機器の設定情報を共有することができる。
【図面の簡単な説明】
【００１０】
【図１】図１は、実施の形態１に係る機器制御システムの構成図である。
【図２】図２は、実施の形態１に係る通信装置の機能ブロック図の例である。
【図３】図３は、実施の形態１に係る通信装置の処理の一例を示すシーケンス図である。
【図４】図４は、実施の形態１に係る通信装置の処理の説明図である。
【図５】図５は、実施の形態１に係る通信装置の設定処理の説明図である。
【図６Ａ】図６Ａは、実施の形態１に係る画像データの埋め込みデータの例の説明図である。
【図６Ｂ】図６Ｂは、実施の形態１に係る設定コマンド基準値及び基準設定コマンドの説明図である。
【図７】図７は、実施の形態１に係る設定コマンドの変換テーブルの例である。
【図８】図８は、実施の形態２に係る機器制御システムの構成図である。
【図９Ａ】図９Ａは、実施の形態２に係る通信装置の機能ブロック図の例である。
【図９Ｂ】図９Ｂは、実施の形態２に係る処理サーバの機能ブロック図の例である。
【図１０】図１０は、実施の形態２に係る通信装置及び処理サーバの処理の例を示すシーケンス図である。
【図１１】図１１は、実施の形態３に係る機器制御システムの構成図である。
【図１２】図１２は、実施の形態３に係る機器制御装置の機能ブロック図の例である。
【図１３】図１３は、実施の形態３に係る機器制御装置の処理の一例を示すシーケンス図である。
【図１４】図１４は、実施の形態３に係る機器制御装置の処理の説明図である。
【図１５】図１５は、実施の形態４に係る機器制御システムの構成図である。
【図１６Ａ】図１６Ａは、実施の形態４に係る機器制御装置の機能ブロック図の例である。
【図１６Ｂ】図１６Ｂは、実施の形態４に係る処理サーバの機能ブロック図の例である。
【図１７】図１７は、実施の形態４に係る通信装置及び処理サーバの処理の例を示すシーケンス図である。
【図１８】図１８は、実施の形態５に係る機器制御システムの構成図である。
【図１９】図１９は、実施の形態５に係る表示装置の機能ブロック図の例である。
【図２０】図２０は、実施の形態５に係る対応家電判定部の機能ブロック図の例である。
【図２１】図２１は、実施の形態５に係る表示装置の処理の例を示す第一のシーケンス図である。
【図２２】図２２は、実施の形態５に係る表示装置の処理の例を示す第二のシーケンス図である。
【図２３Ａ】図２３Ａは、実施の形態５に係る表示装置の処理の第一の説明図である。
【図２３Ｂ】図２３Ｂは、実施の形態５に係る表示装置の処理の第二の説明図である。
【図２３Ｃ】図２３Ｃは、実施の形態５に係る表示装置の処理の第三の説明図である。
【図２４Ａ】図２４Ａは、実施の形態５に係るマークの例である。
【図２４Ｂ】図２４Ｂは、実施の形態５に係る付加されるマークの説明図である。
【図２５】図２５は、実施の形態６に係る機器制御システムの構成図である。
【図２６Ａ】図２６Ａは、実施の形態６に係る表示装置の機能ブロック図の例である。
【図２６Ｂ】図２６Ｂは、実施の形態６に係る処理サーバの機能ブロック図の例である。
【図２７】図２７は、実施の形態６に係る表示装置及び処理サーバの処理の例を示す第一のシーケンス図である。
【図２８】図２８は、実施の形態６に係る表示装置及び処理サーバの処理の例を示す第二のシーケンス図である。
【図２９】図２９は、各実施の形態における装置及びプログラムサーバを含むシステム構成図である。
【発明を実施するための形態】
【００１１】
（本発明の基礎となった知見）
本発明者は、「背景技術」の欄において記載した、情報取得方法に関し、以下の問題が生じることを見出した。
【００１２】
従来、画像データを共有するためのサーバを介して、電気機器で処理を施された物品を被写体とする画像データを複数のユーザ間で共有することができる。
【００１３】
そのような画像データをユーザが取得及び閲覧し、そのユーザが自身の電気機器により物品に処理を施すことにより当該画像データの物品を生成したいと考える場合がある。しかし、そのユーザは、その処理を行った電気機器の種別や、その処理が施されたときの電気機器の設定情報を知ることができないので、自身で同様の処理を施すことができない。
【００１４】
電気機器の操作情報、又は、センサ情報などの環境情報を画像ファイル内に埋め込むことで画像上に環境情報を視覚化する技術が開示されている（例えば、特許文献１）。特許文献１によれば、ユーザは、画像ファイルを閲覧するだけで直感的に環境情報を取得し、その環境を制御することができる。
【００１５】
上記サーバを介して画像ファイルを取得したユーザが、当該画像ファイルの被写体である物品に対して施された電気機器の処理の内容を取得し、その処理を再現することができないという問題がある。
【００１６】
そこで、物品が処理された時の電気機器の設定情報の共有を可能とする通信方法等を提供することを目的とする。
【００１７】
このような問題を解決するために、本発明の一様態に係る通信方法は、電気機器により処理が施された物品の画像データを生成し、前記物品に施される前記処理を示す前記電気機器の設定情報を取得し、取得された前記設定情報を変換することで、汎用形式の設定情報である基準設定情報を生成し、生成された前記画像データに、生成された前記基準設定情報を付加することにより、合成データを生成し、生成された前記合成データを蓄積サーバへ送信する通信方法である。
【００１８】
これによれば、物品に対して処理が施されたときの電気機器の設定情報に対応する汎用形式の設定情報が埋め込まれた画像データが蓄積サーバに保存される。その画像データは、蓄積サーバにアクセスするユーザに閲覧され、取得される。その画像データを取得したユーザは、画像データとともに、画像データに埋め込まれている電気機器の設定情報を得ることができる。よって、物品が処理された時の電気機器の設定情報の共有が可能となる。
【００１９】
例えば、前記通信方法では、前記電気機器との間で近接無線通信を行うことにより、前記物品に前記処理が施されたときの前記電気機器の設定情報を取得する。
【００２０】
これによれば、通信装置のユーザが電気機器の設定情報の詳細を認識することなく、電気機器から通信装置へ設定情報が転送される。ユーザの手入力により設定情報を入力するのに比べて、通信装置は、より正確に設定情報を取得することができる。よって、物品が処理された時の電気機器の設定情報の共有が可能となる。
【００２１】
例えば、前記通信方法では、前記電気機器の特定機種の専用形式の設定情報に対応付けて、前記電気機器の機種に依存しない汎用形式の設定情報を格納する変換テーブルを参照して、取得された前記設定情報を変換して、前記基準設定情報を生成する。
【００２２】
これによれば、電気機器の特定機種の設定情報が、電気機器の機種に依存しない汎用形式の設定情報に変換され、汎用形式の設定情報が画像データに埋め込まれる。汎用形式の設定情報を用いることで、その画像を取得した装置における設定情報の変換処理の処理負荷が低減される。
【００２３】
例えば、前記通信方法では、カメラを用いて前記物品を被写体とする写真を撮影することで、前記画像データを生成する。
【００２４】
これによれば、通信装置が搭載するカメラにより生成される、物品を被写体とする画像データに、当該物品に処理が施されたときの電気機器の設定情報が埋め込まれる。よって、より容易に物品の画像データが生成される。
【００２５】
例えば、前記通信方法では、Ｅｘｉｆ（Exchangeable image file format）規格に準拠した形式で、前記画像データに対して前記基準設定情報を付加することにより、前記合成データを生成する。
【００２６】
これによれば、一般に画像データへの情報の埋め込みに用いられているＥｘｉｆ規格に準拠した形式で、電気機器の設定情報が埋め込まれる。よって、電気機器の設定情報が埋め込まれた画像が、電気機器の設定情報が埋め込まれていない一般の画像データと同じように取り扱われる。
【００２７】
例えば、前記通信方法では、ユーザの操作により入力される前記電気機器の設定情報を受け付け、受け付けた前記電気機器の設定情報を、前記物品に施される処理を示す設定情報として取得する。
【００２８】
これによれば、ユーザの入力により電気機器の設定情報が取得される。よって、通信装置と電気機器との間に通信インタフェースがないときにも、電気機器の設定情報が取得される。
【００２９】
また、本発明の一様態に係る通信方法は、電気機器により処理が施された物品の画像データを生成し、前記物品に施される前記処理を示す前記電気機器の設定情報を取得し、取得された前記設定情報を処理サーバへ送信し、前記設定情報から変換された汎用形式の設定情報である基準設定情報を特定する情報を前記処理サーバより取得し、生成された前記画像データに、取得された前記基準設定情報を特定する情報を付加することにより、合成データを生成し、生成された前記合成データを蓄積サーバへ送信する。
【００３０】
これによれば、電気機器の特定機種の設定情報を、電気機器の機種に依存しない汎用形式の設定情報に変換する処理が、処理サーバにおいて行われる。当該変換処理には変換テーブルが必要とされ、変換処理が複雑になる場合もある。処理サーバにおいて、当該処理を行うことにより、通信装置の処理負荷が増大するのを未然に防ぐことができる。
【００３１】
また、本発明の一態様に係る通信方法は、電気機器により処理が施された物品の画像データを生成し、前記物品に施される前記処理を示す前記電気機器の設定情報を取得し、生成された前記画像データに、取得された前記設定情報を付加することにより、合成データを生成し、生成された前記合成データを蓄積サーバへ送信する。
【００３２】
これによれば、物品に対して処理が施されたときの電気機器の設定情報が埋め込まれた画像データが蓄積サーバに保存される。その画像は、蓄積サーバにアクセスするユーザにより閲覧され、取得される。その画像データを取得したユーザは、画像データとともに、画像データに埋め込まれている電気機器の設定情報を得ることができる。よって、物品が処理された時の電気機器の設定情報の共有が可能となる。
【００３３】
また、本発明の一様態に係る機器制御方法は、物品を被写体とする画像の画像データを含むデータであって、前記物品に対して前記第一電気機器により施される処理を示す第一設定情報を付加された合成データを取得し、取得された前記合成データから、前記第一設定情報を分離し、ユーザによって予め指定される電気機器のうち、取得された前記第一設定情報が示す処理を施すことができる電気機器である第二電気機器により実行可能な形式の第二設定情報へ、分離された前記第一設定情報を変換し、変換されることで生成された前記第二設定情報を前記第二電気機器に送信する機器制御方法である。
【００３４】
これによれば、電気機器の設定情報が埋め込まれた画像データから、電気機器の設定情報が分離され、ユーザが指定する電気機器を用いて当該設定情報に対応する処理が物品に施される。ここで、画像データに埋め込まれた設定情報に対応する電気機器（第一電気機器）の機種と、ユーザが保有する電気機器（第二電気機器）の機種とが異なる場合にも第二電気機器での処理が可能である。なぜなら、機器制御装置が第一電気機器の設定情報を第二電気機器に適合する形式に変換するためである。よって、物品が処理された時の電気機器の設定情報の共有が可能となる。
【００３５】
例えば、前記機器制御方法では、前記ユーザによって予め指定される電気機器のうち、前記ユーザの操作により入力される電気機器特定情報により特定される電気機器である前記第二電気機器により実行可能な形式の第二設定情報へ、分離された前記第一設定情報を変換する。
【００３６】
これによれば、ユーザが指定する電気機器のうち、ユーザが明示的に指定する電気機器の形式に、画像データに埋め込まれた設定情報を変換することができる。よって、ユーザが電気機器を複数機種保有している場合にも、適切に電気機器の設定情報変換することができ、物品に対する処理を施すことができる。
【００３７】
例えば、前記機器制御方法では、記憶部に記憶される、前記第一設定情報と前記第二設定情報との変換テーブルを参照して、分離された前記第一設定情報を変換する。
【００３８】
これによれば、変換テーブルに従って、設定情報が変換される。
【００３９】
例えば、前記機器制御方法では、電気機器との間で近接無線通信を行い、前記ユーザによって予め指定される電気機器のうち、前記近接無線通信の通信相手の電気機器である前記第二電気機器により実行可能な形式の第二設定情報へ、分離された前記第一設定情報を変換し、変換されることで生成された前記第二設定情報を前記近接無線通信により前記第二電気機器へ送信する。
【００４０】
これによれば、ユーザが指定する電気機器のうち、ユーザが機器制御装置を近接させた電気機器に適合する形式に、画像データに埋め込まれた設定情報が変換される。よって、ユーザが電気機器を複数機種保有している場合にも、適切に電気機器の設定情報変換することができ、物品に対する処理を施すことができる。
【００４１】
また、本発明の一態様に係る機器制御方法は、物品を被写体とする画像の画像データを含むデータであって、前記物品に対して前記第一電気機器により施される処理を示す第一設定情報を付加された合成データを、蓄積サーバから取得し、取得された前記合成データから、前記第一設定情報を分離し、分離された前記第一設定情報を処理サーバへ送信し、ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信し、受信された前記第二設定情報を前記第二電気機器に送信する機器制御方法である。
【００４２】
これによれば、第一電気機器の設定情報を、第二電気機器に適合する形式に変換する処理を、処理サーバにおいて行うことができる。当該変換処理には変換テーブルが必要とされ、変換処理が複雑になる場合もある。処理サーバにおいて、当該処理を行うことにより、通信装置の処理負荷が増大するのを未然に防ぐことができる。
【００４３】
例えば、前記機器制御方法では、前記第一設定情報は、汎用形式の設定情報である。
【００４４】
これによれば、複数の電気機器の設定情報に相互に変換可能な汎用形式の設定情報を用いて、電気機器の設定情報の共有が可能となる。
【００４５】
また、本発明の一態様に係るインタフェース提供方法は、電気機器により処理が施された物品の画像データの送信を受け付けるインタフェースを提供するステップと、前記物品に施された前記処理を示す前記電気機器の設定情報の送信を受け付けるインタフェースを提供するステップと、汎用形式の設定情報であって、前記物品に施された処理を示す前記電気機器の設定情報を変換することにより得られる基準設定情報を、送信された前記画像データに付加することにより生成される合成データを特定する情報を提供するインタフェースを提供するステップとを含むインタフェース提供方法である。
【００４６】
これにより、上記の通信方法と同様の効果を奏する。
【００４７】
また、本発明の一態様に係るインタフェース提供方法は、第一電気機器に処理を施された物品を被写体とする画像の画像データに、前記第一電気機器が前記処理を前記物品に施したときの設定情報を示す第一設定情報を付加された合成データを送信することの要求を受け付けるインタフェースを提供するステップと、前記合成データから分離された第一設定情報を、ユーザにより予め指定される電気機器のうち、分離された前記第一設定情報が示す処理を施すことができる電気機器である第二電気機器により実行可能な形式に変換することで得られる第二設定情報を、前記第二電気機器に送信することを促すインタフェースを提供するステップとを含むインタフェース提供方法である。
【００４８】
これにより、上記の機器制御方法と同様の効果を奏する。
【００４９】
また、本発明の一態様に係る記録媒体は、上記に記載の通信方法をコンピュータに実行させるためのプログラムが記載された記録媒体である。
【００５０】
これにより、上記の通信方法と同様の効果を奏する。
【００５１】
また、本発明の一態様に係る記録媒体は、上記に記載の機器制御方法をコンピュータに実行させるためのプログラムが記載された記録媒体である。
【００５２】
これにより、上記の機器制御方法と同様の効果を奏する。
【００５３】
また、本発明の一態様に係る通信装置は、電気機器により処理が施された物品の画像データを生成する画像生成部と、前記物品に施される前記処理を示す前記電気機器の設定情報を取得する設定情報取得部と、取得された前記設定情報を変換することで、汎用形式の設定情報である基準設定情報を生成する基準設定情報生成部と、生成された前記画像データに、生成された前記基準設定情報を付加することにより、合成データを生成する合成部と、生成された前記合成データを蓄積サーバへ送信する送信部とを備える通信装置である。
【００５４】
これにより、上記の通信方法と同様の効果を奏する。
【００５５】
また、本発明の一態様に係る通信装置は、電気機器により処理が施された物品の画像データを生成する画像生成部と、前記物品に施される前記処理を示す前記電気機器の設定情報を取得する設定情報取得部と、取得された前記設定情報を処理サーバへ送信し、前記設定情報から変換された汎用形式の設定情報である基準設定情報を特定する情報を前記処理サーバより取得する基準設定情報取得部と、生成された前記画像データに、取得された前記基準設定情報を特定する情報を付加することにより、合成データを生成する合成部と、生成された前記合成データを蓄積サーバへ送信する送信部とを備える通信装置である。
【００５６】
これにより、上記の通信方法と同様の効果を奏する。
【００５７】
また、本発明の一態様に係る機器制御装置は、物品を被写体とする画像の画像データを含むデータであって、前記物品に対して前記第一電気機器により施される処理を示す第一設定情報を付加された合成データを取得する画像データ取得部と、取得された前記合成データから、前記第一設定情報を分離する設定情報分離部と、ユーザによって予め指定される電気機器のうち、取得された前記第一設定情報が示す処理を施すことができる電気機器である第二電気機器により実行可能な形式の第二設定情報へ、分離された前記第一設定情報を変換する設定情報変換部と、変換されることで生成された前記第二設定情報を前記第二電気機器に送信する送信部とを備える機器制御装置である。
【００５８】
これにより、上記の機器制御方法と同様の効果を奏する。
【００５９】
また、本発明の一態様に係る機器制御装置は、物品を被写体とする画像の画像データを含むデータであって、前記物品に対して前記第一電気機器により施される処理を示す第一設定情報を付加された合成データを、蓄積サーバから取得する画像データ取得部と、取得された前記合成データから、前記第一設定情報を分離する設定情報分離部と、分離された前記第一設定情報を処理サーバへ送信する設定情報送信部と、ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信する設定情報受信部と、受信された前記第二設定情報を前記第二電気機器に送信する送信部とを備える機器制御装置である。
【００６０】
これにより、上記の機器制御方法と同様の効果を奏する。
【００６１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００６２】
以下、実施の形態について、図面を参照しながら具体的に説明する。
【００６３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６４】
（実施の形態１）
本実施の形態において、電気機器で処理を施された物品の画像データに、当該処理時の電気機器の設定情報を汎用形式に変換した設定情報を付加し、設定情報が付加された画像データを蓄積サーバに送信する通信装置の例を示す。なお、汎用形式に変換する処理のことを、「汎用化する」と記述する場合がある。なお、設定情報を付加することを、「設定情報を埋め込む」と記述する場合がある。なお、「電気機器で処理を施された物品の画像データ」は、本実施の形態における画像データの一例である。つまり、上記の画像データが当該処理を施される前の物品の画像データである場合も、同様に、本発明の技術的範囲に属する。
【００６５】
図１は、本実施の形態に係る機器制御システムの構成図である。
【００６６】
図１に示されるように、本実施の形態に係る機器制御システム１は、通信装置１１と、端末機器３１と、蓄積サーバ４１とを備える。
【００６７】
通信装置１１は、近接無線通信を利用して端末機器３１と通信するとともに、ネットワークを介して蓄積サーバ４１と通信する。通信装置１１は、端末機器３１との通信により設定情報を取得する。通信装置１１は、取得した設定情報に後述の処理を施した後、設定情報を蓄積サーバ４１に送信する。通信装置１１は、近接無線通信インタフェースとネットワーク通信インタフェースとを搭載した携帯電話又はスマートフォン（高機能携帯電話）などで実現される。
【００６８】
端末機器３１は、電気機器の設定情報などを通信装置１１から取得、及び、電気機器に設定するとともに、近接無線通信を利用して通信装置１１と通信する。端末機器３１は、電気機器の内部機能として実現されることもあるし、単独の機器として実現され、電気機器に接続して使用される形態をとることもある。電気機器とは、例えば、家電機器であり、具体的には電子レンジやオーブンなどである。以下では電気機器として家電機器を利用する場合の例を示す。
【００６９】
蓄積サーバ４１は、データを蓄積するサーバであり、ネットワークを介して通信装置１１と通信する。データは、例えば、画像データである。蓄積サーバ４１は、他の通信装置（不図示）ともネットワークを介して通信可能である。他の通信装置は、蓄積サーバ４１と通信することにより、画像データを蓄積サーバ４１に保存（アップロード）することができ、また、画像データを蓄積サーバ４１から取得（ダウンロード）することができる。蓄積サーバ４１は、インターネット上のＳＮＳ（Social networking service）サイト、画像共有サイト、又は、ネットワークを介してアクセス可能なファイルサーバなどで実現される。
【００７０】
図２は、本実施の形態に係る通信装置１１の機能ブロック図の一例である。
【００７１】
図２に示されるように、通信装置１１は、家電設定コマンド合成部１１１と、表示部１１２と、カメラ１１３と、操作部１１４と、近接無線通信部１１５と、近接無線通信アンテナ１１６と、制御部１１７と、移動網通信部１１８と、移動網通信アンテナ１１９とを備える。
【００７２】
家電設定コマンド合成部１１１は、電気機器の設定コマンドと、当該電気機器により処理を施された物品の画像データとを合成する。家電設定コマンド合成部１１１は、その内部機能として、家電設定コマンド取得部１１１１と、基準値生成部１１１２と、合成部１１１３と、画像生成部１１１４とを有する。
【００７３】
画像生成部１１１４は、カメラ１１３を用いて、電気機器に処理を施された物品を被写体とする写真を取得し、当該写真の画像データを生成する。なお、写真の代わりに、電気機器が処理を施した物品を被写体とする画像を用いることもできる。具体的には、写真に代わりに、電気機器が処理を施した物品のイラスト又は文字列の画像のイメージデータを用いることもできる。
【００７４】
家電設定コマンド取得部１１１１は、近接無線通信部１１５及び近接無線通信アンテナ１１６を通じて端末機器３１との通信を行い、電気機器の設定コマンドを取得する。家電設定コマンド取得部１１１１は、設定情報取得部に相当する。
【００７５】
基準値生成部１１１２は、家電設定コマンド取得部１１１１が取得した家電設定コマンドを変換することで、汎用形式の設定情報である基準設定情報を生成する。ここで、汎用形式の設定情報とは、当該電気機器の特定の機種に依存しない体系の設定情報のことである。基準値生成部１１１２は、基準設定情報生成部に相当する。基準設定情報は、基準設定情報自体、又は、基準設定情報が格納された場所（ＵＲＬ（Uniform Resource Locator））などにより特定される。言い換えれば、基準設定情報を特定する情報とは、上記の基準設定情報自体、又は、場所（ＵＲＬ）である。
【００７６】
なお、基準設定情報に対して上記と逆の変換を施すことにより、家電設定コマンド取得部１１１１が取得した家電設定コマンドを得ることができる。つまり、基準設定情報も第一電気器の設定情報を示す情報であるといえる。
【００７７】
なお、「変換する」という文言は、変換前のものと、それを変換することで得られる変換後のものとが同一である場合も含む。つまり、「変換する」という文言は、変換することが不要な場合には、いっさい変換しないことも含む。
【００７８】
合成部１１１３は、画像生成部１１１４が生成した画像データに対して、画像データの埋め込みデータとして、基準値生成部１１１２が生成した基準設定情報を格納する。基準設定情報が格納された画像データを合成データともよぶ。合成データは、合成データ自体、又は、合成データを保存した場合のファイル名、合成データに付された番号、若しくは、合成データが格納された場所（ＵＲＬ）などにより特定される。言い換えれば、合成データを特定する情報とは、上記の合成データ自体、又は、ファイル名、番号、若しくは、場所（ＵＲＬ）である。
【００７９】
表示部１１２は、制御部１１７が構成する表示データを表示する表示パネルである。
【００８０】
カメラ１１３は、電気機器により処理を施された物品を撮影し、画像データを生成する。
【００８１】
操作部１１４は、ユーザの操作を受け付けるインタフェースである。操作部１１４は、例えば、タッチパネル又はキーボードなどで実現される。
【００８２】
近接無線通信部１１５は、近接無線通信により端末機器３１と通信を行うための信号処理を行う。なお、近接無線通信の通信規格は、どんなものであってもよい。近接無線通信の通信規格の例として、ＮＦＣ（Near field communication）がある。また、近接無線通信の通信規格として、ＩＥＥＥ８０２．１１規格準拠の無線ＬＡＮ（Local area network）、Ｂｌｕｅｔｏｏｔｈ（登録商標）、ＺｉｇＢｅｅなどを用いることもできる。
【００８３】
近接無線通信アンテナ１１６は、近接無線通信部１１５が通信を行う際に電波の送受信を行うアンテナである。
【００８４】
制御部１１７は、通信装置１１における一連の情報処理の制御、及び、通信装置１１内の各機能ブロックの間の処理の受け渡しを行う。また、家電設定コマンド合成部１１１が合成した画像データを蓄積サーバ４１へ送信する。なお、制御部１１７は、送信部に相当する。
【００８５】
移動網通信部１１８は、ネットワークを介して蓄積サーバ４１と通信を行うための信号処理を行う。なお、ネットワークの通信規格は、どんなものであってもよい。ネットワークの通信規格の例として、携帯電話網、公衆無線ＬＡＮ網、公衆電話回線網、衛星通信網などがある。
【００８６】
移動網通信アンテナ１１９は、移動網通信部１１８が通信を行う際に電波の送受信を行うアンテナである。
【００８７】
図３は、本実施の形態に係る通信装置１１の処理の一例を示すシーケンス図である。また、図４は、本実施の形態に係る通信装置１１の処理の説明図である。これらの図を参照しながら、本実施の形態に係る通信装置１１の処理について説明する。
【００８８】
まず、通信装置１１は、家電設定コマンドを端末機器３１に送信する（ステップＳ３０１）。通信装置１１の操作部１１４は、ユーザによる操作を受け付ける。制御部１１７は、ユーザの操作により作成された家電設定コマンドを近接無線通信部１１５及び近接無線通信アンテナ１１６を通じて、端末機器３１に送信する。家電設定コマンドを作成する方法は、さまざまな方法がある。一例として、通信装置１１上のソフトウェアで実現される方法であり、設定項目をユーザに選択させることにより、家電設定コマンドを作成する方法がある。他の一例として、通信装置１１が、移動網通信部１１８及び移動網通信アンテナ１１９を通じてインターネット上の特定のＷｅｂサイトに接続し、Ｗｅｂサイトから受信するデータに従って、設定項目をユーザに選択させることにより作成する方法がある。ここで、家電設定コマンドとは、電気機器が物品に処理を施すときの設定情報のことである。具体例として、電気機器であるオーブンでパンを焼く場合には、電気機器はオーブンに、物品はパンに、処理は「焼くこと」に対応する。設定情報は、「２００℃」若しくは「１５分」、又は、それらを結合した「２００℃で１５分」のようなオーブンに対する設定情報に対応する。なお、本ステップ（ステップＳ３０１）は、必須ではない。本ステップの代わりに、ユーザが手動で電気機器に設定を行うようにしてもよい。
【００８９】
次に、端末機器３１は、ステップＳ３０１で通信装置１１から受信した家電設定コマンドを電気機器に送信し、電気機器がその家電設定コマンドに従って物品に処理を施す（ステップＳ３１１）。その結果、処理を施された物品が生成される。具体的には、例えば、端末機器であるオーブンが、物品であるパンに対して、焼くという処理を施す。その結果、焼かれたパン５１が生成される。
【００９０】
次に、通信装置１１は、ステップＳ３１１で端末機器３１が処理を施した物品を被写体とする画像を取得し、画像データを生成する（ステップＳ３０２）。通信装置１１の画像生成部１１１４は、カメラ１１３を用いて、端末機器３１が処理を施した物品を被写体とする写真を撮影し、画像データを生成する。具体例として、オーブンでパンを焼く場合には、焼かれたパン５１を被写体とする画像を取得し、画像データを生成する。なお、画像は、電気機器が処理を施した物品を被写体とする画像であればよく、写真、イラスト又は文字列の画像のイメージデータを用いることができる。本ステップの処理が図４の（ａ）に示されている。
【００９１】
次に、通信装置１１は、家電設定コマンドと画像との紐付けを行う（ステップＳ３０３）。通信装置１１の画像生成部１１１４は、ステップＳ３０１で通信装置１１が作成した家電設定コマンドと、ステップＳ３０２で取得した写真との紐付けを行う。ここで、紐付けとは、家電設定コマンドと画像との対応付けのことである。具体的には、電気機器で当該家電設定コマンドによる処理を物品に施すことで、当該画像の被写体である物品が生成される、という対応付けのことである。このとき、ユーザに対して、紐付けを行うか否かを問い合わせるインタフェースを提供し、紐付けを行うか否かをユーザに指定させるようにしてもよい。本ステップでの画像の表示は、例えば、図４の（ｂ）のようになる。
【００９２】
次に、通信装置１１は、家電設定コマンドを基準設定情報に変換する（ステップＳ３０４）。通信装置１１の基準値生成部１１１２は、家電設定コマンド取得部１１１１が取得した家電設定コマンドを、汎用形式の設定情報（基準設定情報）に変換する。基準設定情報には、具体的には、オーブンの設定情報「２２０℃で１１分」を、「０ｘＡ１２３３」（“０ｘ”は１６進数を意味する接頭語）のような値で表現する設定コマンド基準値と、オーブンの設定情報「２２０℃で１１分」を、そのままの形で表現する基準コマンドとがある。なお、基準値生成部１１１２は、電気機器の特定機種の専用形式の設定情報に対応付けて、電気機器の機種に依存しない汎用形式の設定情報を格納する変換テーブルを保持していてもよい。この変換テーブルを参照して、上記の変換を行うことができる。なお、基準設定情報への変換は必須ではない。基準設定情報への変換を行わない場合は、家電設定コマンドそのものを以降の処理の基準設定情報として用いる。
【００９３】
次に、通信装置１１は、基準設定情報を画像データに埋め込む（ステップＳ３０５）。通信装置１１の合成部１１１３は、基準値生成部１１１２が生成した基準設定情報を、画像生成部１１１４が生成した画像データに埋め込む。具体例としては、合成部１１１３は、基準値生成部１１１２が生成した基準設定情報を、画像生成部１１１４がカメラ１１３を用いて取得した画像データのＥｘｉｆ（Exchangeable image file format）データに格納する。
【００９４】
次に、通信装置１１は、ステップＳ３０５で基準設定情報が埋め込まれた画像データを、蓄積サーバ４１に送信する（ステップＳ３０６）。通信装置１１の制御部１１７は、家電設定コマンド合成部１１１（合成部１１１３）から、基準設定情報が埋め込まれた画像データを受け取り、移動網通信部１１８及び移動網通信アンテナ１１９を通じて蓄積サーバ４１へ送信する。なお、ユーザに対して、画像データを蓄積サーバへ送信するか否かを問い合わせるインタフェースを提供し、画像サーバへ送信するか否かをユーザにより指定させるようにしてもよい。また、ユーザに対して、合成データを特定する情報を提供するインタフェースを提供するとしてもよい。本ステップでの画像の表示は、例えば、図４の（ｃ）のようになる。
【００９５】
ステップＳ３０６の後、蓄積サーバ４１上に基準設定情報が埋め込まれた画像データが保存されているので、蓄積サーバ４１にアクセスしたユーザは、当該画像データを閲覧することができる。そのときの通信装置１１の画面の例は、図４の（ｄ）である。図４の（ｄ）において、蓄積サーバ４１（サイト名は“ＡＢＣ”）内に保存された画像として、画像データがユーザのコメント付きで表示されている。
【００９６】
以上のようにして、電気機器により処理を施された物品を被写体とする画像であって、当該処理時の家電設定コマンドが埋め込まれた画像が、蓄積サーバ４１に保存される。
【００９７】
図５は、本実施の形態に係る通信装置の設定処理の説明図である。図５は、家電設定コマンドと画像との紐付け処理（ステップＳ３０３）の具体的な方法を示す図である。
【００９８】
図５の（ａ）は、端末機器３１と通信装置１１とが近接無線通信を行うことにより、通信装置１１が、家電設定コマンドを取得する例を示す。例えば、オーブンでパンを焼く場合、パンを焼いた後に通信装置１１の近接無線通信アンテナ１１６と、端末機器３１の近接無線通信アンテナ（不図示）とを近接させることで、パンを焼いたときのオーブンの設定情報を通信装置１１が取得する。このようにすることで、ユーザは設定値を意識することなく、通信装置１１にオーブンの設定情報を取得させることができる。なお、このように取得する場合、通信装置１１は、端末機器３１の最新の設定情報を受け付けるようにしてもよいし、過去の複数の設定情報を受け付け、それらの複数の設定情報の中から適したものをユーザに指定させるようにしてもよい。その際には、通信装置１１は、複数の設定情報の中から適したものをユーザに指定させるためのインタフェースをユーザに提供し、ユーザはそのインタフェースを用いて指定を行う。
【００９９】
図５の（ｂ）は、通信装置１１にユーザ自身が設定情報を入力する例を示す。例えば、オーブンでパンを焼く場合、パンを焼いた後に、パンを焼いたときのオーブンの設定値をユーザが通信装置１１に入力する。このようにすることで、ユーザは設定値を自身で確認しながら入力することができる。
【０１００】
図５の（ｃ）は、通信装置１１が、撮影した画像を画像解析することによってオーブンの設定値を取得する例である。具体的には、パンの膨らみの具合、色合い又は焦げ目の量などから画像解析によって取得することができる。このようにすることで、ユーザは電気機器の設定値を意識することなく、通信装置１１にオーブンの設定情報を取得させることができる。
【０１０１】
図６Ａは、本実施の形態に係る画像データの埋め込みデータの一例の説明図である。図６Ａは、具体的には、Ｅｘｉｆ規格のデータ構造を示す図である。
【０１０２】
図６Ａに示されるように、画像データの埋め込みデータ６０１は、「ファイル情報」、「カメラ情報」、及び、「メーカ固有情報」の３つの部分を含む。ファイル情報の部分には、この埋め込みデータが埋め込まれている画像のファイル名（ａｂｃ．ｊｐｇ）、画像の形式（ＪＰＥＧ）、ファイルサイズ（１．４ＭＢ）などの項目がある。カメラ情報の部分には、この埋め込みデータが埋め込まれている画像を取得したカメラのメーカ名（Ｘｙｚ）、機種（Ｏｐｑ１）などの項目がある。メーカ固有情報の部分には、任意の情報が埋め込まれる。
【０１０３】
本実施の形態に係る画像データの埋め込みデータは、メーカ固有情報の部分に格納される。メーカ固有情報の部分に書き込まれるデータは、図６Ａに示されるように、バージョン（１．１）、設定コマンド品番（ＮＥ−Ｑ１０）、設定コマンド基準値（０ｘＡ１２３３）などがある。設定コマンド基準値は、ステップＳ３０４で生成されるものである。設定コマンド基準値の代わりに、同様にステップＳ３０４で生成される基準設定コマンドを用いてもよい。バージョンは、このデータフォーマットに付けられた番号である。設定コマンド品番は、この設定コマンド基準値を生成した端末機器３１の機種を示す。なお、設定コマンド基準値及び基準設定コマンド以外の項目は、必須ではない。
【０１０４】
図６Ｂは、設定コマンド基準値及び基準設定コマンドの説明図である。図６Ｂの（ａ）は、設定コマンド基準値の例であり、図６Ａのメーカ固有部分に書き込まれるものと同一である。
【０１０５】
図６Ｂの（ｂ）は、設定コマンド基準値の別の例である。端末機器３１が物品に処理を施す際に、２回の処理を順に施す場合がある。その場合、図６Ｂの（ｂ）のように、設定コマンド基準値１及び２というように、２つの設定コマンド基準値を記述する。例えば、オーブンでパンを焼く場合、まず、２４０℃で７分焼き、その後、２２０℃で２０分焼く、という手順をとる場合がある。そのような場合には、「２４０℃で７分焼く」処理に対応する設定コマンド基準値０ｘＡ１２４４と、「２２０℃で２０分焼く」処理に対応する設定コマンド基準値０ｘＡ１２２２との両方を記述する。
【０１０６】
図６Ｂの（ｃ）は、基準設定コマンドの例であり、図６Ｂの（ａ）に対応するものである。つまり、オーブンの場合、基準設定コマンドとは、「２００℃で１０分」のような情報のことである。
【０１０７】
図６Ｂの（ｄ）は、基準コマンドの別の例であり、図６Ｂの（ｂ）に対応するものである。図６Ｂの（ｂ）の場合と同様、端末機器３１が物品に処理を施す際に、２回の処理を順に施す場合の例である。つまり、２つの基準設定コマンド「２４０℃で７分」及び「２２０℃で１０分」が示されている。
【０１０８】
図６Ｂの（ｅ）は、基準コマンドを保存したＵＲＬ（Uniform resource locator）（基準コマンドＵＲＬ）を示す例である。インターネット上の所定のサイトに上記の設定コマンド基準値又は基準コマンドを保存しておき、埋め込みデータの埋め込みデータ部分には、設定コマンド基準値又は基準コマンドにアクセスするためのＵＲＬを記述するようにしてもよい。図６Ｂの（ｅ）の例では、ＵＲＬであるhttp://aaa.com/aaa.htmlに、基準コマンドが保存されている場合の例である。
【０１０９】
図７は、本実施の形態に係る設定コマンドの変換テーブル７０１の例である。変換テーブル７０１は、オーブンの複数の機種（Ａ、Ｂ、及び、Ｃ）ごとに、当該機種の設定値を設定コマンド基準値に変換するときの変換数を表すテーブルである。ステップＳ３０４において通信装置１１が家電設定コマンドを基準設定情報に変換するときに用いられる。具体的には、オーブンＡにおける設定値ｓを設定コマンド基準値に変換するときには、変換テーブル７０１のオーブンＡの欄にある係数Ａを参照し、設定値ｓに係数Ａを乗ずることで設定コマンド基準値ｔを得るというように用いられる。また、オーブンＡと異なる機種のオーブンＢにおける設定値ｘを設定コマンド基準値に変換するときには、変換テーブル７０１のオーブンＢの欄にある係数Ｂを参照し、設定値ｘに係数Ｂを乗ずることで、設定コマンド基準値ｙを得るというように用いられる。なお、変換テーブル７０１には、オーブンの３機種のみを示したが、これより多くの機種が登録されてもよいし、その他の家電機器（ベーカリー、ＩＨクッキングヒータ、又は、洗濯機など）の機種に対する係数が登録されてもよい。
【０１１０】
上記では、単に家電の設定値に対して変換テーブル７０１の係数を乗ずる例を示したが、複数の値を組み合わせてなる設定コマンドを変換することも可能である。例えば、「２２０℃で２０分焼く」という設定コマンドを、処理される物品に同様の効果が与えられる「２１０℃で２２分焼く」という設定コマンドに変換することも可能である。
【０１１１】
以上では、通信装置の利用方法として、一般ユーザが電気機器の設定情報を提供する方法を説明した。当該一般ユーザが設定情報を提供し、他の一般ユーザが当該設定情報を取得することで、一般ユーザ同士で電気機器の設定情報を共有することができる。その他の利用方法として、オーブンの提供事業者、又は、パンの材料の提供事業者が、推奨されるオーブンの設定情報をパンの画像に埋め込み、オーブンの使用者、又は、パンの材料の購入者が当該設定情報を使用してオーブンを使用する、又は、パンを焼く、という利用方法がある。
【０１１２】
以上では、電気機器の具体例として、オーブンを用いて説明したが、他の電気機器にも適用することが可能である。例えば、電気機器である洗濯機についても適用することができる。具体的には、洗濯機により洗濯物が洗濯される場合の洗濯機の設定情報を、洗濯物の画像データに埋め込むこともできる。このようにすれば、所定の洗濯物に対してしわの少ない洗濯ができる洗濯機の設定情報をユーザ間で共有することができる。また、衣服のメーカが、製造する衣服を洗濯機で洗濯する場合の洗濯機の設定情報を、衣服の購入者に配布することができる。
【０１１３】
他の例として、電気機器である炊飯器についても適用することができる。具体的には、炊飯器により白米が炊かれる場合の炊飯器の設定情報を、白米の画像データに埋め込むこともできる。このようにすれば、所定の種類の米がおいしく炊ける炊飯器の設定情報をユーザ間で共有することができる。また、米の販売事業者が、販売する米を炊飯器で炊く場合の炊飯器の設定情報を、米の購入者に配布することができる。
【０１１４】
他の例として、ＩＨクッキングヒータについても適用することができる。具体的には、ＩＨクッキングヒータで調理された調理設定を画像データに埋め込むこともできる。
【０１１５】
他の例として、テレビなどの映像装置についても適用することができる。具体的には、録画情報を趣味嗜好が同様のユーザが設定した録画予約情報やキーワード録画情報を画像データに埋め込むことができる。
【０１１６】
他の例として、電気機器がエラー情報を表示している画像について、表示されているエラーに応じた対処方法を設定情報として、画像に埋め込むこともできる。
【０１１７】
以上のように、本実施の形態に係る通信方法によれば、物品に対して処理が施されたときの電気機器の設定情報に対応する汎用形式の設定情報が埋め込まれた画像データが蓄積サーバに保存される。その画像データは、蓄積サーバにアクセスするユーザに閲覧され、取得される。その画像データを取得したユーザは、画像データとともに、画像データに埋め込まれている電気機器の設定情報を得ることができる。よって、物品が処理された時の電気機器の設定情報の共有が可能となる。
【０１１８】
また、通信装置のユーザが電気機器の設定情報の詳細を認識することなく、電気機器から通信装置へ設定情報が転送される。ユーザの手入力により設定情報を入力するのに比べて、通信装置は、より正確に設定情報を取得することができる。よって、物品が処理された時の電気機器の設定情報の共有が可能となる。
【０１１９】
また、電気機器の特定機種の設定情報が、電気機器の機種に依存しない汎用形式の設定情報に変換され、汎用形式の設定情報が画像データに埋め込まれる。汎用形式の設定情報を用いることで、その画像を取得した装置における設定情報の変換処理の処理負荷が低減される。
【０１２０】
また、通信装置が搭載するカメラにより生成される、物品を被写体とする画像データに、当該物品に処理が施されたときの電気機器の設定情報が埋め込まれる。よって、より容易に物品の画像データが生成される。
【０１２１】
また、一般に画像データへの情報の埋め込みに用いられているＥｘｉｆ規格に準拠した形式で、電気機器の設定情報が埋め込まれる。よって、電気機器の設定情報が埋め込まれた画像が、電気機器の設定情報が埋め込まれていない一般の画像データと同じように取り扱われる。
【０１２２】
また、ユーザの入力により電気機器の設定情報が取得される。よって、通信装置と電気機器との間に通信インタフェースがないときにも、電気機器の設定情報が取得される。
【０１２３】
また、物品に対して処理が施されたときの電気機器の設定情報が埋め込まれた画像データが蓄積サーバに保存される。その画像は、蓄積サーバにアクセスするユーザにより閲覧され、取得される。その画像データを取得したユーザは、画像データとともに、画像データに埋め込まれている電気機器の設定情報を得ることができる。よって、物品が処理された時の電気機器の設定情報の共有が可能となる。
【０１２４】
（実施の形態２）
本実施の形態において、実施の形態１における設定情報の汎用化の処理を、通信装置で行う代わりに処理サーバで行う例について説明する。なお、実施の形態１におけるものと同様の構成及び処理についての記述を省略する場合がある。
【０１２５】
図８は、本実施の形態に係る機器制御システムの構成図である。
【０１２６】
図８に示されるように、本実施の形態に係る機器制御システム２は、通信装置１２と、処理サーバ２１と、端末機器３１と、蓄積サーバ４１とを備える。ここで、実施の形態１における機器制御システム１と異なるのは、通信装置１２と、処理サーバ２１とである。これらについて説明する。
【０１２７】
通信装置１２は、近接無線通信を利用して端末機器３１と通信するとともに、ネットワークを介して処理サーバ２１及び蓄積サーバ４１のそれぞれと通信する。また、通信装置１１は、端末機器３１との通信により取得した設定情報データの一部を処理サーバ２１に送信し、処理サーバ２１で処理された処理データを受信する。また、通信装置１１は、処理サーバ２１の処理データを蓄積サーバ４１に送信する。通信装置１１は、近接無線通信インタフェースとネットワーク通信インタフェースとを搭載した携帯電話又はスマートフォン（高機能携帯電話）などで実現される。
【０１２８】
処理サーバ２１は、通信装置１２が送信したデータを受信し、当該データに対し後述する処理を施したものを通信装置１２に処理データとして送信する。処理サーバは、一般的なサーバ機器などで実現される。
【０１２９】
図９Ａは、本実施の形態に係る通信装置１２の機能ブロック図の例である。図９Ａに示されるように、通信装置１２は、家電設定コマンド合成部１２１と、表示部１１２と、カメラ１１３と、操作部１１４と、近接無線通信部１１５と、近接無線通信アンテナ１１６と、制御部１２７と、移動網通信部１１８と、移動網通信アンテナ１１９とを備える。ここで、実施の形態１における通信装置１１と異なるのは、家電設定コマンド合成部１２１と、制御部１２７とである。
【０１３０】
家電設定コマンド合成部１２１は、電気機器の設定コマンドと、当該電気機器により処理を施された物品を被写体とする画像データとを合成する。この処理の一部は、処理サーバ２１により実行される。家電設定コマンド合成部１２１は、その内部機能として、家電設定コマンド取得部１２１１と、識別情報取得部１２１２と、合成部１２１３と、画像生成部１２１４とを有する。
【０１３１】
画像生成部１２１４は、カメラ１１３を用いて、電気機器に処理を施された物品を被写体とする画像を取得する。
【０１３２】
家電設定コマンド取得部１２１１は、近接無線通信部１１５及び近接無線通信アンテナ１１６を通じて電気機器との通信を行い、電気機器に対する設定コマンドを取得する。
【０１３３】
識別情報取得部１２１２は、家電設定コマンド取得部１２１１が取得した家電設定コマンドを処理サーバ２１へ送信する。そして、処理サーバ２１において、家電設定コマンドから変換されて生成された識別情報を取得する。ここで、識別情報とは、汎用形式の設定情報（基準設定情報）と一対一に対応し、汎用形式の設定情報を特定するための情報のことである。言い換えれば、識別情報とは、基準設定情報を特定する情報であるともいえる。なお、識別情報は、汎用形式の設定情報そのものであってもよい。
【０１３４】
合成部１２１３は、画像生成部１２１４が取得した画像データに識別情報取得部１２１２が取得した識別情報を埋め込む。
【０１３５】
制御部１２７は、通信装置１２における一連の情報処理の制御、及び、通信装置１２内の各機能ブロックの間の処理の受け渡しを行う。また、家電設定コマンド合成部１２１が合成した画像データを蓄積サーバ４１へ送信する。
【０１３６】
図９Ｂは、本実施の形態に係る処理サーバ２１の機能ブロック図の例である。図９Ｂに示されるように、処理サーバ２１は、家電設定コマンド受信部２１２と、基準値生成部２１３と、識別情報生成部２１４と、識別情報送信部２１５と、基準値記憶部２１６とを備える。
【０１３７】
家電設定コマンド受信部２１２は、通信装置１２の識別情報取得部１２１２が送信した家電設定コマンドを受信する。
【０１３８】
基準値生成部２１３は、家電設定コマンド受信部２１２が取得した家電設定コマンドを変換することで、汎用化された設定情報である基準設定情報を生成する。
【０１３９】
識別情報生成部２１４は、基準値生成部２１３が生成した基準設定情報に対応する識別情報を生成する。
【０１４０】
識別情報送信部２１５は、識別情報生成部２１４が生成した識別情報を、通信装置１２へ送信する。
【０１４１】
基準値記憶部２１６は、基準値生成部２１３が生成した基準値と、識別情報生成部２１４が生成した識別情報とを対応させて保持する。
【０１４２】
図１０は、本実施の形態に係る通信装置及び処理サーバの処理の例を示すシーケンス図である。
【０１４３】
図１０におけるステップＳ１００１、ステップＳ１０１１、ステップＳ１００２及びステップＳ１００３の各処理は、実施の形態１における各処理ステップＳ３０１、ステップＳ３１１、ステップＳ３０２及びステップＳ３０３にそれぞれ同一であるため、記述を省略する。
【０１４４】
通信装置１２は、家電設定コマンドを基準設定情報に変換するために、家電設定コマンドを処理サーバへ送信する（ステップＳ１００４）。通信装置１２の識別情報取得部１２１２は、家電設定コマンド取得部１２１１が取得した家電設定コマンドを、移動網通信部１１８及び移動網通信アンテナ１１９を通じて、処理サーバ２１へ送信する。
【０１４５】
次に、処理サーバ２１は、通信装置１２が送信した家電設定コマンドを基準設定情報に変換する（ステップＳ１０２１）。処理サーバ２１は、ステップＳ１００４で通信装置１２（識別情報取得部１２１２）が送信した家電設定コマンドを、基準設定情報に変換する。家電設定コマンドから基準設定情報への変換処理は、実施の形態１におけるステップＳ３０４における処理と同様である。
【０１４６】
次に、処理サーバ２１は、ステップＳ１０２１で生成した基準設定情報に対応する識別情報を生成する（ステップＳ１０２２）。処理サーバ２１は、ステップＳ１０２１で生成した基準設定情報と一対一に対応し、当該基準設定情報を一意に特定することができる識別情報を生成し、基準設定情報と識別情報との対応関係である識別情報基準値Ｄ１０２２を処理サーバ２１内の記憶装置に保存する。識別情報は、例えば、識別情報を生成するたびにインクリメントする数値であってよい。また、基準設定情報をキーとしてハッシュ関数などにより得られる数値であってもよい。また、識別情報は、汎用化された設定情報そのものであってもよい。なお、記憶装置は処理サーバ２１内にあるとしたが、処理サーバ２１の外部であって処理サーバ２１と通信可能な場所にあってもよい。
【０１４７】
次に、処理サーバ２１は、ステップＳ１０２２で生成した識別情報を通信装置１２に送信する（ステップＳ１０２３）。
【０１４８】
次に、通信装置１２は、ステップＳ１０２３で処理サーバ２１が送信した識別情報を受信する（ステップＳ１００５）。通信装置１２の識別情報取得部１２１２は、移動網通信部１１８及び移動網通信アンテナ１１９を通じて、ステップＳ１０２３で処理サーバ２１が送信した識別情報を受信する。
【０１４９】
次に、通信装置１２は識別情報を画像データに埋め込む（ステップＳ１００６）。通信装置１２の合成部１２１３は、識別情報取得部１２１２が取得した識別情報を、画像生成部１２１４が取得した画像データの埋め込みデータとして、画像データに埋め込む。具体例としては、合成部１２１３は、識別情報取得部１２１２が取得した識別情報を、画像生成部１２１４がカメラ１１３を用いて取得した画像データのＥｘｉｆデータに格納する。
【０１５０】
次に、通信装置１２は、ステップＳ１００６で識別情報が埋め込まれた画像データを、蓄積サーバ４１に送信する（ステップＳ１００７）。この処理は、実施の形態１におけるステップＳ３０６の処理と同様である。
【０１５１】
ステップＳ１００７の後、蓄積サーバ４１上に識別情報が埋め込まれた画像データが保存されているので、蓄積サーバにアクセスしたユーザは、当該画像データを閲覧することができる。
【０１５２】
以上のようにして、電気機器により処理を施された物品を被写体とする画像であって、当該処理時の家電設定コマンドの識別情報が埋め込まれた画像が、蓄積サーバ４１に保存される。なお、ステップＳ１０２２において、識別情報として、汎用化された設定情報そのものを用いた場合は、当該処理時の家電設定コマンドの設定情報が埋め込まれた画像が、蓄積サーバ４１に保存される。
【０１５３】
以上のように、本実施の形態に係る通信方法によれば、電気機器の特定機種の設定情報を、電気機器の機種に依存しない汎用形式の設定情報に変換する処理が、処理サーバにおいて行われる。当該変換処理には変換テーブルが必要とされ、変換処理が複雑になる場合もある。処理サーバにおいて、当該処理を行うことにより、通信装置の処理負荷が増大するのを未然に防ぐことができる。
【０１５４】
（実施の形態３）
本実施の形態において、電気機器で処理を施された物品の画像データであって、当該処理時の汎用形式の設定情報が埋め込まれた画像データを、蓄積サーバから受信して電気機器に設定することで電気機器を制御する機器制御装置の例を示す。
【０１５５】
図１１は、本実施の形態に係る機器制御システムの構成図である。
【０１５６】
図１１に示されるように、本実施の形態に係る機器制御システム３は、機器制御装置１３と、端末機器３２と、蓄積サーバ４１とを備える。
【０１５７】
機器制御装置１３は、近接無線通信を利用して端末機器３２と通信するとともに、ネットワークを介して蓄積サーバ４１と通信する。また、機器制御装置１３は、蓄積サーバ４１から受信した、電気機器の制御情報が埋め込まれた画像データに、後述の処理を施した後、端末機器３２に対して設定情報を送信し制御を行う。機器制御装置１３は、近接無線通信インタフェースとネットワーク通信インタフェースとを搭載した携帯電話又はスマートフォン（高機能携帯電話）などで実現される。
【０１５８】
端末機器３２は、電気機器の設定情報などを取得、及び、電気機器に設定するとともに、近接無線通信を利用して機器制御装置１３と通信する。端末機器３２は、電気機器の内部機能として実現されることもあるし、単独の機器として実現され、電気機器に接続して使用される形態をとることもある。電気機器とは、例えば、家電機器であり、具体的には電子レンジやオーブンなどである。以下では電気機器として家電機器を利用する場合の例を示す。
【０１５９】
蓄積サーバ４１は、データを蓄積するサーバであり、ネットワークを介して機器制御装置１３と通信する。データは、例えば、画像データである。蓄積サーバ４１は、他の通信装置（不図示）ともネットワークを介して通信可能である。他の通信装置は、蓄積サーバ４１と通信することにより、画像データを蓄積サーバ４１に保存（アップロード）することができ、また、画像データを蓄積サーバ４１から取得（ダウンロード）することができる。蓄積サーバ４１は、インターネット上のＳＮＳ（Social networking service）サイト、画像共有サイト、又は、ネットワークを介してアクセス可能なファイルサーバなどで実現される。
【０１６０】
図１２は、本実施の形態に係る機器制御装置１３の機能ブロック図の例である。図１２に示されるように、機器制御装置１３は、家電設定コマンド取得部１３１と、表示部１１２と、カメラ１１３と、操作部１１４と、近接無線通信部１１５と、近接無線通信アンテナ１１６と、制御部１３７と、移動網通信部１１８と、移動網通信アンテナ１１９とを備える。ここで、実施の形態１における通信装置１１と異なるのは、家電設定コマンド取得部１３１と、制御部１３７とである。これらについて説明する。なお、カメラ１１３は必須の構成要素ではない。つまり、機器制御装置１３は、カメラ１１３を備えなくてもよい。
【０１６１】
家電設定コマンド取得部１３１は、蓄積サーバ４１から画像データを取得するとともに、ユーザが保有している電気機器のリスト（家電リスト）を取得又は生成する。そして、当該画像データに埋め込まれている基準設定情報を、家電リストを参照して、ユーザの保有する電気機器の設定情報に変換する。家電設定コマンド取得部１３１は、その内部機能として、変換テーブル記憶部１３１１と、画像取得部１３１２と、基準コマンド分離部１３１３と、家電設定コマンド変換部１３１４と、家電リスト取得部１３１５とを有する。なお、家電リストは、家電リストを格納しているサーバ等から取得してもよいし、家電設定コマンド取得部１３１が生成してもよい。他の用途のために家電リストを格納しているサーバが存在する場合には、当該サーバから家電リストを取得するようにしてもよい。このようにすれば、機器制御装置１３のために専用に、家電リストを格納しているサーバを設置する必要がないというメリットがある。
【０１６２】
なお、家電リストは、ユーザが保有している家電機器のリストであると説明したが、その代わりに、ユーザが予め指定した家電機器のリストであってもよい。つまり、家電リストに示される家電機器は、ユーザが保有しているものに限らず、ユーザが予め指定した家電機器のリストであればよい。
【０１６３】
変換テーブル記憶部１３１１は、電気機器の特定機種の専用形式の設定情報に対応付けて、電気機器の機種に依存しない汎用形式の設定情報を格納する変換テーブルを記憶している。
【０１６４】
画像取得部１３１２は、蓄積サーバ４１から、電気機器によって処理された物品の画像データであって、基準設定情報が埋め込まれた画像データを、移動網通信部１１８及び移動網通信アンテナ１１９を通じて取得する。
【０１６５】
基準コマンド分離部１３１３は、画像取得部１３１２が取得した画像データから、電気機器の設定情報を分離する（取り出す）。
【０１６６】
家電リスト取得部１３１５は、ユーザが保有している電気機器のリスト（家電リスト）を、取得又は生成する。家電リストを生成する方法には、さまざまな方法がある。例えば、ユーザが、ユーザが保有する電気機器に機器制御装置１３を近接させ、近接無線通信におけるポーリングを行い、近接無線通信の通信リンクを確立させた後に、当該電気機器の識別情報などを受信することができる。家電リスト取得部１３１５は、ユーザが保有する電気機器に順次上記の受信をさせることで、家電リストを生成することができる。なお、家電リスト取得部１３１５は、上記の方法で家電リストを生成する代わりに、あらかじめ当該ユーザの家電リストを生成し保持している装置から取得するようにしてもよい。
【０１６７】
家電設定コマンド変換部１３１４は、基準コマンド分離部１３１３が分離した（取り出した）電気機器の設定情報を、ユーザが保有している電気機器の設定情報に変換する。
【０１６８】
制御部１３７は、機器制御装置１３における一連の情報処理の制御、及び、機器制御装置１３内の各機能ブロックの間の処理の受け渡しを行う。また、制御部１３７は、家電設定コマンド取得部１３１が生成した家電設定コマンドを、近接無線通信部１１５及び近接無線通信アンテナ１１６を通じて、端末機器３２に送信する。
【０１６９】
図１３は、本実施の形態に係る機器制御装置１３の処理の一例を示すシーケンス図である。また、図１４は、本実施の形態に係る通信装置の処理の説明図である。これらの図を参照しながら、本実施の形態に係る通信装置の処理について説明する。
【０１７０】
まず、機器制御装置１３は、蓄積サーバ４１から画像データを取得する（ステップＳ１３０１）。機器制御装置１３のユーザが、蓄積サーバ４１内に保存されている画像を参照する。そして、ユーザが物品に対して施したいと思う処理がなされた後の物品の画像を選択する。機器制御装置１３の画像取得部１３１２は、電気機器によって処理された物品の画像データであって、基準設定情報が埋め込まれた画像データを、移動網通信部１１８及び移動網通信アンテナ１１９を通じて取得する。ユーザが蓄積サーバ４１内に保存されている画像を閲覧するときの機器制御装置１３の画面の例を、図１４の（ａ）に示す。図１４の（ａ）は、具体例として、オーブンで焼かれたパンの場合に、ユーザがオーブンで焼かれたパンの画像を選択する画面を示している。
【０１７１】
次に、機器制御装置１３は、画像データの埋め込みデータから基準設定情報を取得する（ステップＳ１３０２）。機器制御装置１３の基準コマンド分離部１３１３は、画像取得部１３１２が取得した画像データのＥｘｉｆデータに格納された基準設定情報を分離する（取り出す）。画像データのＥｘｉｆデータのデータ構造は、図６Ａに示されているものと同一である。
【０１７２】
次に、機器制御装置１３は、ユーザが保有する電気機器のリスト（家電リスト）を取得する（ステップＳ１３０３）。
【０１７３】
次に、機器制御装置１３は、基準設定情報と家電リストとに基づいて家電設定コマンドを生成する（ステップＳ１３０４）。機器制御装置１３の家電設定コマンド変換部１３１４は、基準コマンド分離部１３１３が分離した（取り出した）電気機器の設定情報を取得する。また、家電リスト取得部１３１５が取得して家電リストを取得する。そして、変換テーブル記憶部１３１１が記憶している変換テーブルを参照して、電気機器の設定情報を変換することで、ユーザが保有する電気機器の設定情報である家電設定コマンドを生成する。なお、ユーザが保有する電気機器が複数ある場合等には、操作部１１４でユーザの操作による電気機器の指定を受け付けるようにしてもよい。ここで指定された電気機器を、設定情報の変換先の電気機器とする。また、ユーザが近接無線通信アンテナ１１６を電気機器に近接させることで、設定情報の変換先の電気機器を指定することとしてもよい。
【０１７４】
次に、機器制御装置１３は、ステップＳ１３０４で生成された家電設定コマンドを端末機器３２に送信する（ステップＳ１３０５）。機器制御装置１３の制御部１３７は、家電設定コマンド取得部１３１が生成した家電設定コマンドを、近接無線通信部１１５及び近接無線通信アンテナ１１６を通じて、端末機器３２に送信する。その際には、機器制御装置１３はユーザに対して、機器制御装置１３を端末機器３２に近づけるように促すインタフェースを提供してもよい。本ステップは、図１４の（ｂ）及び（ｃ）に対応する。
【０１７５】
次に、端末機器３２は、ステップＳ１３０５で送信された家電設定コマンドを受信し、物品に処理を施す（ステップＳ１３１１）。例えば、オーブンでパンを焼く場合、ステップＳ１３１１で受信したオーブンの設定（例えば、「２００℃で１５分」）で、パンを焼く制御を行う。これにより、パンが焼け、焼けたパン５２が生成される。本ステップは、図１４の（ｄ）及び（ｅ）に対応する。これにより、画像を提供したユーザの電気機器の設定情報と同じ（又は、ほぼ同じ）処理を、ユーザが保有する電気機器において物品に施すことができる。
【０１７６】
なお、上記では、機器制御装置１３が蓄積サーバ４１から取得した画像データから家電設定コマンドを生成し、生成した家電設定コマンドによって端末機器３２を制御する例を示した。同様の制御を行うために、例えば、機器制御装置１３が電気機器のＩＤを蓄積サーバ４１へ送信し、家電設定コマンドが付加された合成データを蓄積サーバ４１が機器制御装置１３へ送信するようにしてもよい。また、例えば、機器制御装置１３がユーザＩＤを蓄積サーバ４１へ送信し、蓄積サーバ４１が当該ユーザの家電リストの中の対応機種用の家電設定コマンドを付加した合成データを機器制御装置１３へ送信するようにしてもよい。
【０１７７】
以上のように、本実施の形態に係る機器制御方法によれば、電気機器の設定情報が埋め込まれた画像データから、電気機器の設定情報が分離され、ユーザが指定する電気機器を用いて当該設定情報に対応する処理が物品に施される。ここで、画像データに埋め込まれた設定情報に対応する電気機器（第一電気機器）の機種と、ユーザが保有する電気機器（第二電気機器）の機種とが異なる場合にも第二電気機器での処理が可能である。なぜなら、機器制御装置が第一電気機器の設定情報を第二電気機器に適合する形式に変換するためである。よって、物品が処理された時の電気機器の設定情報の共有が可能となる。
【０１７８】
また、ユーザが指定する電気機器のうち、ユーザが明示的に指定する電気機器の形式に、画像データに埋め込まれた設定情報を変換することができる。よって、ユーザが電気機器を複数機種保有している場合にも、適切に電気機器の設定情報変換することができ、物品に対する処理を施すことができる。
【０１７９】
また、変換テーブルに従って、設定情報が変換される。
【０１８０】
また、ユーザが指定する電気機器のうち、ユーザが機器制御装置を近接させた電気機器に適合する形式に、画像データに埋め込まれた設定情報が変換される。よって、ユーザが電気機器を複数機種保有している場合にも、適切に電気機器の設定情報変換することができ、物品に対する処理を施すことができる。
【０１８１】
（実施の形態４）
本実施の形態において、実施の形態３における家電設定コマンドへの変換処理を、機器制御装置で行う代わりに処理サーバで行う例について説明する。なお、実施の形態３におけるものと同様の構成及び処理についての記述を省略する場合がある。
【０１８２】
図１５は、本実施の形態に係る機器制御システムの構成図である。
【０１８３】
図１５に示されるように、本実施の形態に係る機器制御システム４は、機器制御装置１４と、処理サーバ２２と、端末機器３２と、蓄積サーバ４１とを備える。ここで、実施の形態３における機器制御システム３と異なるのは、機器制御装置１４と、処理サーバ２２とである。これらについて説明する。
【０１８４】
機器制御装置１４は、近接無線通信を利用して端末機器３２と通信するとともに、ネットワークを介して蓄積サーバ４１と通信する。また、機器制御装置１４は、蓄積サーバ４１から受信した、電気機器の制御情報が埋め込まれた画像データの埋め込みデータを処理サーバ２２に送信し、それに対する処理サーバ２２の処理データを受信する。また、機器制御装置１４は、端末機器３１に対して設定情報を送信し制御を行う。機器制御装置１３は、近接無線通信インタフェースとネットワーク通信インタフェースとを搭載した携帯電話又はスマートフォン（高機能携帯電話）などで実現される。
【０１８５】
処理サーバ２２は、機器制御装置１４が送信したデータを受信し、当該データに対し後述する処理を施したものを機器制御装置１４に、処理データとして送信する。処理サーバは、一般的なサーバ機器などで実現される。
【０１８６】
図１６Ａは、本実施の形態に係る機器制御装置の機能ブロック図の例である。図１６Ａに示されるように、機器制御装置１４は、家電設定コマンド取得部１４１と、表示部１１２と、カメラ１１３と、操作部１１４と、近接無線通信部１１５と、近接無線通信アンテナ１１６と、制御部１４７と、移動網通信部１１８と、移動網通信アンテナ１１９とを備える。ここで、実施の形態３における機器制御装置１３と異なるのは、家電設定コマンド取得部１４１と、制御部１４７とである。なお、カメラ１１３は必須の構成要素ではない。つまり、機器制御装置１４は、カメラ１１３を備えなくてもよい。
【０１８７】
家電設定コマンド取得部１４１は、蓄積サーバ４１から画像データを取得し、画像データの埋め込みデータから識別情報を分離する。そして、識別情報をユーザの保有する電気機器の設定情報に変換する。この処理の一部は、処理サーバ２２により実行される。家電設定コマンド取得部１４１は、その内部機能として、家電設定コマンド受信部１４１１と、画像取得部１４１２と、識別情報分離部１４１３と、識別情報送信部１４１４とを有する。
【０１８８】
画像取得部１４１２は、移動網通信部１１８及び移動網通信アンテナ１１９を通じて、蓄積サーバ４１から画像データを取得する。この画像データは、電気機器によって処理された物品を被写体とする画像であり、この画像データの埋め込みデータには、物品が処理されたときの電気機器の設定情報に対応する識別情報が含まれている。
【０１８９】
識別情報分離部１４１３は、画像取得部１４１２が取得した画像データの埋め込みデータから、識別情報を分離する（取り出す）。
【０１９０】
識別情報送信部１４１４は、移動網通信部１１８及び移動網通信アンテナ１１９を通じて、識別情報分離部１４１３が分離した（取り出した）識別情報を処理サーバ２２へ送信する。
【０１９１】
家電設定コマンド受信部１４１１は、識別情報送信部１４１４が送信した識別情報を、処理サーバ２２が変換して生成した基準設定コマンドを受信する。
【０１９２】
制御部１４７は、機器制御装置１４における一連の情報処理の制御、及び、機器制御装置１４内の各機能ブロックの間の処理の受け渡しを行う。また、制御部１４７は、家電設定コマンド取得部１４１が生成した家電設定コマンドを、近接無線通信部１１５及び近接無線通信アンテナ１１６を通じて、端末機器３２に送信する。
【０１９３】
図１６Ｂは、本実施の形態に係る処理サーバの機能ブロック図の例である。図１６Ｂに示されるように、処理サーバ２２は、識別情報取得部２２１と、基準値生成部２２２と、家電設定コマンド変換部２２３と、家電設定コマンド送信部２２４と、基準値記憶部２２５と、変換テーブル記憶部２２６と、家電リスト取得部２２７とを備える。
【０１９４】
識別情報取得部２２１は、機器制御装置１４が送信する識別情報を受信することにより取得する。
【０１９５】
基準値生成部２２２は、識別情報と基準設定コマンドとの変換テーブルを参照し、識別情報取得部２２１が取得した識別情報を変換することで基準設定コマンドを生成する。
【０１９６】
家電設定コマンド変換部２２３は、機器制御装置１４のユーザが保有する電気機器のリスト（家電リスト）を参照し、基準値生成部２２２が生成した基準設定コマンドを、ユーザが保有する電気機器の家電設定コマンドに変換する。
【０１９７】
家電設定コマンド送信部２２４は、家電設定コマンド変換部２２３が変換することで生成した家電設定コマンドを機器制御装置に送信する。
【０１９８】
基準値記憶部２２５は、基準値と識別情報とを対応させて保持している。この対応関係は、家電設定コマンドが基準値に変換され識別情報が生成されたときに生成されるものである。なお、基準値記憶部２２５は、実施の形態２における基準値記憶部２１６に相当する。
【０１９９】
変換テーブル記憶部２２６は、基準値生成部２２２により参照される、識別情報と基準設定コマンドの変換テーブルを記憶している。
【０２００】
家電リスト取得部２２７は、ユーザが保有している電気機器のリスト（家電リスト）を、取得または生成する。
【０２０１】
図１７は、本実施の形態に係る通信装置及び処理サーバの処理の例を示すシーケンス図である。
【０２０２】
まず、機器制御装置１４は、蓄積サーバ４１から画像データを取得する（ステップＳ１７０１）。機器制御装置１４のユーザが、蓄積サーバ４１内に保存されている画像を参照する。そして、ユーザが物品に対して施したいと思う処理がなされた後の物品の画像を選択する。機器制御装置１４の画像取得部１４１２は、電気機器によって処理された物品の画像データであって、基準設定情報から変換された識別情報が埋め込まれた画像データを、移動網通信部１１８及び移動網通信アンテナ１１９を通じて取得する。
【０２０３】
次に、機器制御装置１４は、ステップＳ１７０１で取得した画像データの埋め込みデータから識別情報を取得する（ステップＳ１７０２）。機器制御装置１４の識別情報分離部１４１３は、画像取得部１４１２が取得した画像データのＥｘｉｆデータに格納された識別情報を分離する（取り出す）。画像データのＥｘｉｆデータのデータ構造は、図６Ａに示されている。
【０２０４】
次に、機器制御装置１４は、ステップＳ１７０２で取得した識別情報を処理サーバ２２へ送信する（ステップＳ１７０３）。機器制御装置１４の識別情報送信部１４１４は、識別情報分離部１４１３が分離した（取り出した）識別情報を、移動網通信部１１８及び移動網通信アンテナ１１９を通じて処理サーバ２２へ送信する。
【０２０５】
次に、処理サーバ２２は、ステップＳ１７０３で機器制御装置１４が送信した識別情報を受信する（ステップＳ１７２１）。処理サーバ２２の識別情報取得部２２１は、機器制御装置１４の識別情報送信部１４１４が送信した識別情報を受信する。
【０２０６】
次に、処理サーバ２２は、ステップＳ１７２１で受信した識別情報に基づいて基準値を生成する（ステップＳ１７２２）。処理サーバ２２の基準値生成部２２２は、ステップＳ１７０２で受信した識別情報と基準設定コマンドとの変換テーブルを参照し、識別情報取得部２２１が取得した識別情報を変換することで基準設定コマンドを生成する。ここで、変換テーブルとは、実施の形態２において識別情報が生成された際に生成された、基準値と識別情報との対応関係である識別情報基準値Ｄ１０２２である。
【０２０７】
次に、処理サーバ２２は、ステップＳ１７２２で生成された基準値を、ユーザが保有する電気機器の家電設定コマンドに変換する（ステップＳ１７２３）。処理サーバ２２の家電設定コマンド変換部２２３は、ユーザが保有する電気機器のリスト（家電リスト）を参照し、ステップＳ１７２２で生成された基準値に対応する処理が可能な電気機器を検索する。基準値に対応する処理が可能な電気機器が見つかったら、変換テーブル記憶部２２６に記憶されている変換テーブルを参照することで、ステップＳ１７２２で生成された基準値をユーザが保有する電気機器の家電設定コマンドに変換する。
【０２０８】
次に、処理サーバ２２は、ステップＳ１７２３が生成した家電設定コマンドを機器制御装置１４に送信する（ステップＳ１７２４）。
【０２０９】
次に、機器制御装置１４は、ステップＳ１７２４で処理サーバ２２が送信した家電設定コマンドを受信する（ステップＳ１７０４）。機器制御装置１４の家電設定コマンド受信部１４１１は、移動網通信部１１８及び移動網通信アンテナ１１９を通じて、ステップＳ１７２３で処理サーバ２１が送信した家電設定コマンドを受信する。
【０２１０】
次に、機器制御装置１４は、家電設定コマンドを端末機器３１に送信する（ステップＳ１７０５）。機器制御装置１４の制御部１４７は、ステップＳ１７０４で家電設定コマンド受信部１４１１が受信した家電設定コマンドを、近接無線通信部１１５及び近接無線通信アンテナ１１６を通じて端末機器３２に送信する。
【０２１１】
次に、端末機器３２は、ステップＳ１７０５で送信された家電設定コマンドを受信し、物品に処理を施す（ステップＳ１７１１）。
【０２１２】
以上のように、本実施の形態に係る機器制御方法によれば、第一電気機器の設定情報を、第二電気機器に適合する形式に変換する処理を、処理サーバにおいて行うことができる。当該変換処理には変換テーブルが必要とされ、変換処理が複雑になる場合もある。処理サーバにおいて、当該処理を行うことにより、通信装置の処理負荷が増大するのを未然に防ぐことができる。
【０２１３】
（実施の形態５）
本実施の形態において、蓄積サーバより取得した画像であって、物品が処理された時の電気機器の設定情報を含む画像を、一般の画像とは異なる態様でユーザに視認させる表示装置の例を示す。
【０２１４】
図１８は、本実施の形態に係る機器制御システム５の構成図である。図１８に示されるように、機器制御システム５は、表示装置１５と、端末機器３３と、蓄積サーバ４１とを備える。
【０２１５】
表示装置１５は、近接無線通信を利用して端末機器３３と通信するとともに、ネットワークを介して蓄積サーバ４１と通信する。また、表示装置１５は、蓄積サーバ４１から電気機器の制御情報が埋め込まれた画像データ、又は、一般の画像データを受信する。
【０２１６】
機器制御装置１３は、近接無線通信インタフェースとネットワーク通信インタフェースとを搭載した携帯電話又はスマートフォン（高機能携帯電話）などで実現される。
【０２１７】
端末機器３３は、電気機器の設定情報などを取得及び設定するとともに、近接無線通信を利用して表示装置１５と通信する。端末機器３３は、電気機器の内部機能として実現されることもあるし、単独の機器として実現され、電気機器に接続して使用される形態をとることもある。電気機器とは、例えば、家電機器であり、具体的には電子レンジやオーブンなどである。以下では電気機器として家電機器を利用する場合の例を示す。
【０２１８】
蓄積サーバ４１は、データを蓄積するサーバであり、ネットワークを介して表示装置１５と通信する。データは、例えば、画像データである。蓄積サーバ４１は、他の通信装置（不図示）ともネットワークを介して通信可能である。他の通信装置は、蓄積サーバ４１と通信することにより、画像データを蓄積サーバ４１に保存（アップロード）することができ、また、画像データを蓄積サーバ４１から取得（ダウンロード）することができる。蓄積サーバ４１は、インターネット上のＳＮＳ（Social networking service）サイト、画像共有サイト、又は、ネットワークを介してアクセス可能なファイルサーバなどで実現される。
【０２１９】
図１９は、本実施の形態に係る表示装置１５の機能ブロック図の例である。
【０２２０】
図１９に示されるように、表示装置１５は、マーク付加部１５１と、表示部１１２と、カメラ１１３と、操作部１１４と、近接無線通信部１１５と、近接無線通信アンテナ１１６と、制御部１５７と、移動網通信部１１８と、移動網通信アンテナ１１９とを備える。ここで、実施の形態３における機器制御装置１３と異なるのは、マーク付加部１５１と、制御部１５７とである。これらについて説明する。なお、カメラ１１３は必須の構成要素ではない。つまり、表示装置１５は、カメラ１１３を備えなくてもよい。
【０２２１】
マーク付加部１５１は、物品が処理された時の電気機器の設定情報を含む画像（以降、「設定画像」とよぶ）と、そうでない画像（以降、「一般画像」とよぶ）とを識別し、設定画像に所定のマークを付加する。ここで、設定画像に所定のマークを付加することを「合成画像を生成する」とも表現する。
【０２２２】
マーク付加部１５１は、設定画像に含まれている設定情報が、表示装置のユーザが保有する電気機器で処理できるものであるときと、表示装置のユーザが保有する電気機器で処理できるものでないときとで、付加するマークを変えるようにしてもよい。さらに、マーク付加部１５１は、付加するマークを決定（選定）するだけでもよい。その場合、他の機能ブロックにて、決定（選定）されたマークが画像に付加されたように表示されるようにしてもよい。なお、マークは、典型的には、アイコン（図形、図柄など）、又は、文字若しくは記号を含む。ただし、設定画像にマークを付加する代わりに、他の画像と異なる態様でユーザに提示することができる方法を用いることもできる。具体的には、設定画像を所定の色の枠で囲んで表示すること、設定画像の色合い、明るさ又は透明度を変化させて表示すること、設定画像の大きさを変化させて表示することなどによって、設定画像をその他の画像と異なる態様でユーザに提示する方法も含まれる。また、「マークが画像に付加されたように表示される」とは、マークが画像に重ねられて（重畳されて）表示されることだけでなく、マークが画像の隣に表示されることも含む。
【０２２３】
また、マーク付加部１５１は、その内部機能として、画像受信部１５１１と、基準コマンド分離部１５１２と、対応家電判定部１５１３と、家電リスト取得部１５１４と、マーク記憶部１５１５と、マーク合成部１５１６とを有する。
【０２２４】
画像受信部１５１１は、蓄積サーバ４１から設定画像及び一般画像の画像データを、移動網通信部１１８及び移動網通信アンテナ１１９を通じて取得し、保持する。設定画像において、設定情報は、例えば、図６Ａに示される画像データのＥｘｉｆ（Exchangeable image file format）データに格納されている。
【０２２５】
基準コマンド分離部１５１２は、画像受信部１５１１に保持されている画像から、電気機器の設定情報を分離する（取り出す）。ここで分離された（取り出された）設定情報を、第一設定情報ともよぶ。なお、第一設定情報は、電気機器の汎用形式の設定情報であってもよいし、電気機器の特定機種の専用形式の設定情報であってもよい。
【０２２６】
家電リスト取得部１５１４は、ユーザが保有している電気機器のリスト（家電リスト）を、取得または生成する。
【０２２７】
対応家電判定部１５１３は、家電リスト取得部１５１４が取得した家電リストの中から、基準コマンド分離部１５１２が分離した設定情報が示す処理を施すことができる電気機器を検索する。詳細な処理を後述する。
【０２２８】
マーク記憶部１５１５は、設定画像に付加されるマークを保持する。なお、マーク記憶部１５１５は、設定画像を表示するときの態様を示す情報を保持してもよい。具体的には、「赤みがかった色合いで表示する」、「明るく表示する」、又は、「大きく表示する」のような情報を保持してもよい。また、それぞれが電気機器に対応する少なくとも１つのマークを保持してもよい。例えば、図２４Ａに示されるように、電気機器であるレンジの形状のマーク（「レンジ用」欄）、電気機器である炊飯器の形状のマーク（「炊飯器用」欄）、及び、電気機器であるＩＨクッキングヒータの形状のマーク（「ＩＨクッキングヒータ用」欄）を保持してもよい。その場合、レンジの設定情報を含む設定画像には、レンジの形状のマークを付加するようにすると、ユーザは直感的に設定画像の処理を施すことができる電気機器を知ることができる。
【０２２９】
マーク合成部１５１６は、対応家電判定部１５１３の判定結果に基づいて、設定画像にマークを重畳するように合成する。具体的には、対応家電判定部１５１３が家電リスト内に設定画像の設定情報を示す処理を行う電気機器があるか否かを判定し、あると判定した場合に、設定画像に第一のマークを重畳するように合成する。その際、設定画像の画像データに含まれる設定情報（第一設定情報）を、家電リスト内の電気機器の設定情報（第二設定情報）に変換できる場合も、設定画像の設定情報を示す処理を行う電気機器があると判定する。この変換には、電気機器の機種間での設定情報を対応付けて格納する変換テーブルを用いてもよい。また、この変換テーブルは、電気機器の汎用形式の設定情報と、電気機器の設定情報との変換テーブルであってもよい。また、マーク合成部１５１６は、対応家電判定部１５１３が設定画像の設定情報を示す処理を行う電気機器が家電リスト内にないと判定した場合には、設定画像に第二のマークを重畳するように合成してもよい。
【０２３０】
第一のマークと第二のマークとの選択方法の説明図を図２４Ｂに示す。第一のマークは、画像データが電気機器の設定情報を含み、かつ、ユーザが当該電気機器を保有している場合に付加されるものである。ユーザは、第一のマークが付加された画像を見ると、この画像は自身が保有する電気機器の設定情報を含んでおり、当該電気機器による処理によってこの画像の被写体となっている物品を生成することができることを知ることができる。第一のマークは、「設定マーク」とも表現される。また、第二のマークは、画像が電気機器の設定情報を含み、かつ、ユーザが当該電気機器を保有していない場合に付加されるものである。ユーザは、第二のマークが付加された画像を見ると、電気機器の設定情報を含んでいるものの、自身が当該電気機器を保有していないということを知ることができる。第二のマークは、「通知マーク」とも表現される。また、マーク合成部１５１６は、付加するマークを決定（選定）するだけでもよい。その場合、他の機能ブロックにて、決定（選定）されたマークが画像に付加されたように表示されるようにしてもよい。
【０２３１】
制御部１５７は、表示装置１５における一連の情報処理の制御、及び、表示装置１５内の各機能ブロックの間の処理の受け渡しを行う。また、制御部１５７は、マーク付加部１５１がマークを付加した後の設定画像を表示部１１２に表示することで、ユーザに提示する。また、制御部１５７は、設定画像に加えて、一般画像も表示部１１２に表示することで、ユーザに提示する。すなわち、マークを付加した後の設定画像が、ユーザへ提供される。
【０２３２】
図２０は、本実施の形態に係る対応家電判定部１５１３の機能ブロック図の例である。
【０２３３】
図２０に示されるように、対応家電判定部１５１３は、登録家電判定部１５１３Ａと、非登録家電表示選択部１５１３Ｂと、マーク画像決定部１５１３Ｃとを有する。
【０２３４】
登録家電判定部１５１３Ａは、基準コマンド分離部１５１２が分離した設定情報が示す処理を施すことができる電気機器が、ユーザが登録した電気機器に含まれているか否かを判定する。ユーザが登録した電気機器に含まれているか否かは、家電リスト取得部１５１４が取得した家電リストの中に含まれているものであるか否かにより判定されてもよい。
【０２３５】
非登録家電表示選択部１５１３Ｂは、登録家電判定部１５１３Ａで家電リストの中に含まれているものでないと判定された電気機器を表示するか否かを選択する。
【０２３６】
マーク画像決定部１５１３Ｃは、設定画像に対して付加するマークのマーク画像を決定する。マーク画像を決定する方法はさまざまな方法がある。例えば、設定画像から分離された設定情報が示す処理を施すことができる電気機器に対応する形状のマークを、当該設定画像に付加すると決定することができる。
【０２３７】
図２１は、本実施の形態に係る表示装置１５の処理の例を示す第一のシーケンス図である。また、図２２は、本実施の形態に係る表示装置の処理の例を示す第二のシーケンス図である。また、図２３Ａは、本実施の形態に係る表示装置の処理の第一の説明図である。これらの図を参照しながら、本実施の形態に係る表示装置の処理について説明する。なお、図２１及び図２２において、ステップＳ２３０１からステップＳ２３０４までは、同一の処理が記述されている。ステップＳ２３０４の判定結果がＹＥＳの場合には、図２１におけるステップＳ２３０５以降の処理が行われる。また、ステップＳ２３０４の判定結果がＮＯの場合には、図２２におけるステップＳ２４０１以降の処理が行われる。
【０２３８】
まず、表示装置１５は、蓄積サーバ４１より画像データを取得する（ステップＳ２３０１）。表示装置１５の画像受信部１５１１は、蓄積サーバ４１から画像データを、移動網通信部１１８及び移動網通信アンテナ１１９を通じて取得し、保持する。蓄積サーバ４１から取得した画像データには、電気機器の設定情報が埋め込みデータとして格納されている設定画像の画像データが含まれている。また、一般画像の画像データが含まれていてもよい。なお、蓄積サーバ４１から取得した画像データは、蓄積サーバ４１に保存されている画像データのうちの一部又は全部の画像データであってよい。一部とする場合、蓄積サーバ４１から取得した画像データは、蓄積サーバ４１に保存されている画像データのうちの保存日時が新しい所定数の画像データとしてもよい。また、蓄積サーバ４１に保存されている画像データのうち、ユーザが指定する検索語に対応する画像データとしてもよい。また、ここでの取得とは、表示装置１５のユーザが表示装置１５内に画像データを保存する目的で取得することと、表示装置１５のユーザが表示装置１５上で蓄積サーバ４１内の画像を閲覧する目的で、一時的に表示装置１５内に画像データを保存することのどちらでもよい。
【０２３９】
次に、表示装置１５は、設定画像の画像データの埋め込みデータから、基準コマンドおよび品番を取得する（ステップＳ２３０２）。表示装置１５の基準コマンド分離部１５１２は、設定画像の埋め込みデータとして格納されている基準コマンドを分離する（取り出す）。
【０２４０】
次に、表示装置１５は、ユーザが保有する電気機器のリストである家電リストを取得する（ステップＳ２３０３）。
【０２４１】
次に、表示装置１５は、設定画像の画像データに、ユーザが保有している電気機器に対応する基準コマンドが埋め込まれているか否かを判定する（ステップＳ２３０４）。表示装置１５の対応家電判定部１５１３は、基準コマンド分離部１５１２が分離した（取り出した）基準コマンドが示す処理を施すことができる電気機器を、家電リスト取得部が取得した家電リストの中から検索する。その結果、当該電気機器が家電リストの中に存在する場合は、基準コマンドが埋め込まれていると判定され、ステップＳ２３０５の処理に移る。また、当該電気機器が家電リストの中に存在しない場合は、基準コマンドが埋め込まれていないと判定され、図２２のステップＳ２４０１の処理に移る。
【０２４２】
すなわち、分離された基準コマンドが家電リストの中のいずれかの家電において実行可能な形式の情報に変換できる場合に、基準コマンドが埋め込まれていると判定される。分離された基準コマンドが家電リストの中のいずれかの家電において実行可能な形式の情報である場合も、基準コマンドが埋め込まれていると判定されてもよい。
【０２４３】
次に、表示装置１５は、家電設定コマンドに対応するマークを選択する（ステップＳ２３０５）。表示装置１５のマーク合成部１５１６は、マーク記憶部１５１５に記憶されているマークの中から、ステップＳ２３０４で家電リストから検索された電気機器に対応するマークを、設定マークとして選択する。
【０２４４】
次に、表示装置１５は、設定画像に設定マークを合成する（ステップＳ２３０６）。表示装置１５のマーク合成部１５１６は、ステップＳ２３０５で選択した設定マークを、設定画像に重畳するように合成する。
【０２４５】
次に、表示装置１５は、設定マークが合成された画像を表示する（ステップＳ２３０７）。表示装置１５の表示部１１２は、ステップＳ２３０５で設定マークを合成した画像を表示することで、ユーザに提示する。すなわち、設定マークを合成した画像が、ユーザへ提供される。
【０２４６】
次に、表示装置１５は、ユーザによる画像の選択を受け付ける（ステップＳ２３０８）。表示装置１５の操作部１１４は、ユーザの操作による画像の選択を受け付ける。本ステップでの画像の表示は、例えば、図２３Ａの（ａ）のようになる。図２３Ａの（ａ）において、ユーザが保有する電気機器で処理することができる設定情報を含む画像２３０１には、設定マーク２３０２が付加されている。また、ユーザが保有する電気機器で処理することができない設定情報を含む画像２３１１には、通知マーク２３１２が付加されている。
【０２４７】
次に、表示装置１５は、設定画像に埋め込みデータとして格納されている基準コマンドを、ユーザが保有する電気機器の設定コマンドに変換する（ステップＳ２３０９）。
【０２４８】
次に、表示装置１５は、家電設定コマンドを端末機器３３に送信する（ステップＳ２３１０）。ここで、家電設定コマンドを送信するか否かをユーザに問い合わせるインタフェースを提供してもよい。本ステップでの画像の表示は、例えば、図２３Ａの（ｂ）のようになる。
【０２４９】
次に、端末機器３３は、ステップＳ２３１０で表示装置が送信した家電設定コマンドを受信し、物品に処理を施す（ステップＳ２３２１）。
【０２５０】
以上の処理により、蓄積サーバ４１に保存されている電気機器の設定情報を含む画像データを受信し、ユーザが保有する電気機器において、当該設定情報が示す処理を物品に施すことができる。
【０２５１】
次に、ステップＳ２３０４で、当該電気機器が家電リストの中に存在せず、基準コマンドが埋め込まれていないと判定された場合について、図２２を参照しながら説明する。
【０２５２】
表示装置１５は、設定画像の設定情報が示す処理を施すことができる電気機器に関する情報を取得する（ステップＳ２４０１）。表示装置１５の対応家電判定部１５１３は、設定画像に埋め込みデータとして格納されている設定情報が示す処理を施すことができる電気機器に関する情報を取得する。
【０２５３】
次に、表示装置１５は、画像データに設定情報が格納されている画像であることを示すマークを、通知マークとして取得する（ステップＳ２４０２）。表示装置１５のマーク記憶部１５１５は、画像データに設定情報が格納されている画像であることを示す通知マークを表示装置１５の外部から取得する。なお、当該通知マークがあらかじめマーク記憶部１５１５に記憶されている場合には、本ステップの処理は行われなくてもよい。
【０２５４】
次に、表示装置１５は、ステップＳ２４０２で取得した通知マークを画像に合成する（ステップＳ２４０３）。表示装置１５のマーク合成部１５１６は、ステップＳ２４０２で取得した通知マークを画像に重畳するように合成する。
【０２５５】
次に、表示装置１５は、通知マークが合成された画像を表示する（ステップＳ２４０４）。表示装置１５の表示部１１２は、ステップＳ２４０３で通知マークを合成した画像を表示することで、ユーザに提示する。すなわち、通知マークを合成した画像が、ユーザへ提供される。このとき、通知マークが合成された画像を含む画像に対してユーザの選択を受け付けるインタフェースを提供してもよい。本ステップでの画像の表示は、例えば、図２３Ａの（ａ）のようになる。
【０２５６】
次に、表示装置１５は、ユーザによる画像の選択を受け付ける（ステップＳ２４０５）。表示装置１５の操作部１１４は、ユーザの操作による画像の選択を受け付ける。
【０２５７】
次に、表示装置１５は、ユーザにより選択された画像に関連する情報を表示する（ステップＳ２４０６）。表示装置１５の表示部１１２は、当該画像に埋め込みデータとして格納されている設定情報が示す処理を施すことができる電気機器の情報を表示する。本ステップでの画像の表示は、例えば、図２３Ａの（ｃ）のようになる。
【０２５８】
図２３Ｂは、本実施の形態に係る表示装置の処理の第二の説明図である。図２３Ｂの（ａ）は、設定画像２３０１を所定の色の枠２３０３で囲んで表示する場合の表示例である。図２３Ｂの（ｂ）は、設定画像２３０１の隣に文字により構成されるマーク２３０４を表示する場合の表示例である。このようなマークによっても、画像が設定画像であることを示すことができる。
【０２５９】
図２３Ｃは、本実施の形態に係る表示装置の処理の第三の説明図である。図２３Ｃは、図２３Ａに示される表示装置１５のユーザとは、家電リストが異なるユーザの表示装置１５における表示例である。家電リストが異なるユーザの表示装置１５では、異なる設定画像にマークが表示される。つまり、ユーザが保有する電気機器で処理することができる設定情報を含む画像２３２１には、設定マーク２３２２が付加されている。また、ユーザが保有する電気機器で処理することができない設定情報を含む画像２３３１には、通知マーク２３３２が付加されている。このように、表示装置１５は、ユーザの家電リストに応じて、設定画像にマークを付加することができる。なお、ユーザを識別するためには、例えば、ユーザが入力するログインＩＤを用いることができる。
【０２６０】
以上の処理により、蓄積サーバ４１に保存されている電気機器の設定情報を含む画像データを受信し、その設定情報が示す処理を施すことができる電気機器の種別をユーザに通知することもできる。
【０２６１】
以上のように、本実施の形態に係る通信方法によれば、画像データに含まれる電気機器（第一電気機器）の設定情報に対応する処理が、ユーザが予め指定する電気機器（第二電気機器）で行うことができる場合に、当該画像データとともにマーク（第一のマーク）が表示される。ユーザは、画像データとともに第一のマークが表示された画像は、自身が指定した電気機器で処理できる設定情報が含まれていることを知ることができる。ここで、第一電気機器と第二電気機器とは同じ型式の電気機器であってもよいし、まったく同一の電気機器であってもよい。よって、ユーザは、物品が処理された時の電気機器の設定情報を含む画像を容易に視認することができる。
【０２６２】
また、画像データに含まれる電気機器の設定情報を変換テーブルによりユーザが指定する電気機器の設定情報に変換できる場合に、ユーザは、第一のマークとともに表示された画像が、自身が指定する電気機器で処理できる設定情報が含まれていると知ることができる。
【０２６３】
また、画像データに含まれる電気機器の設定情報を汎用形式に変換できる場合に、ユーザは、第一のマークとともに表示された画像が、自身が指定する電気機器で処理できる設定情報が含まれていると知ることができる。
【０２６４】
また、ユーザに対応する家電リストに基づいて、画像データに含まれる電気機器の設定情報が、当該ユーザに対応する電気機器の設定情報に変換できるか否かが判定される。
【０２６５】
また、電気機器の設定情報が画像データに含まれている場合に、当該画像データとともにマーク（第二のマーク）が表示される。ユーザは、画像データとともに第二のマークが表示された画像が、電気機器の設定情報が含まれているが、自身が指定する電気機器で処理できない設定情報を含むことを知ることができる。よって、ユーザは、物品が処理された時の電気機器の設定情報を含む画像を容易に視認することができる。
【０２６６】
また、第二のマークの形状が、電気機器に対応する形状のものとなる。これにより、ユーザは、直感的に処理する電気機器が何であるかを知ることができる。よって、ユーザは、物品が処理された時の電気機器の設定情報を含む画像を容易に視認することができる。
【０２６７】
また、第一のマークの形状が、電気機器に対応するものとなる。これにより、ユーザは、直感的に処理する電気機器が何であるかを知ることができる。よって、ユーザは、物品が処理された時の電気機器の設定情報を含む画像を容易に視認することができる。
【０２６８】
また、一般に画像データへの情報の埋め込みに用いられているＥｘｉｆ規格に準拠した形式で、電気機器の設定情報が画像データに埋め込まれる。よって、電気機器の設定情報が埋め込まれた画像が、電気機器の設定情報が埋め込まれていない一般の画像データと同じように取り扱われる。
【０２６９】
（実施の形態６）
本実施の形態において、実施の形態５におけるマークの合成処理を、表示装置で行う代わりに処理サーバで行う例について説明する。なお、実施の形態５におけるものと同様の構成及び処理についての記述を省略する場合がある。
【０２７０】
図２５は、本実施の形態に係る機器制御システム６の構成図である。
【０２７１】
図２５に示されるように、機器制御システム６は、表示装置１６と、処理サーバ２３と、端末機器３３と、蓄積サーバ４１とを備える。ここで、実施の形態５における機器制御システム５と異なるのは、表示装置１６と、処理サーバ２３とである。これらについて説明する。
【０２７２】
表示装置１６は、近接無線通信を利用して端末機器３３と通信するとともに、ネットワークを介して処理サーバ２３と通信する。また、表示装置１６は、処理サーバ２３から設定画像の画像データ、又は、一般画像の画像データを受信する。処理サーバ２３から受信した画像データには、後述するマークが付加されている。機器制御装置１３は、近接無線通信インタフェースとネットワーク通信インタフェースとを搭載した携帯電話又はスマートフォン（高機能携帯電話）などで実現される。
【０２７３】
処理サーバ２３は、ネットワークを介して、蓄積サーバ４１から電気機器の設定情報が埋め込まれた画像データ、又は、一般画像の画像データを受信する。また、表示装置１６のユーザが保有する電気機器のリスト（家電リスト）を取得し、電気機器の設定情報が埋め込まれた画像データのうち、ユーザが保有する電気機器によって当該設定情報が示す処理を行うことができる画像データにマークを合成する。そして、処理サーバ２３は、画像データを表示装置１６に送信する。なお、処理サーバ２３は、蓄積サーバ４１の一機能として実現されてもよい。その場合、蓄積サーバ４１が上記の処理を行い、画像データを表示装置１６に送信する、ともいえる。また、上記の「画像データにマークを合成する」とは、処理サーバ２３が画像データにマークを合成して新たな画像データを生成することを意味するだけでなく、画像データと当該画像データに付加されるマークのデータとが後で表示装置１６に一緒に表示されるように、処理サーバ２３が表示装置１６に送信することをも含む。つまり、処理サーバ２３は、マークが合成された画像データである合成画像を生成する代わりに、マークと画像データとを表示装置１６に送信してもよい。
【０２７４】
図２６Ａは、本実施の形態に係る表示装置１６の機能ブロック図の例である。
【０２７５】
図２６Ａに示されるように、表示装置１６は、合成画像受信部１６１と、表示部１１２と、カメラ１１３と、操作部１１４と、近接無線通信部１１５と、近接無線通信アンテナ１１６と、制御部１６７と、移動網通信部１１８と、移動網通信アンテナ１１９とを備える。ここで、実施の形態５における表示装置１５と異なるのは、合成画像受信部１６１と、制御部１６７である。なお、カメラ１１３は必須の構成要素ではない。つまり、表示装置１６は、カメラ１１３を備えなくてもよい。
【０２７６】
合成画像受信部１６１は、処理サーバ２３から電気機器の制御情報が埋め込まれた画像データ、又は、一般画像の画像データを受信する。すなわち、電気機器の制御情報が埋め込まれた画像データ、又は、一般画像が、ユーザが使用する表示装置１６へ提供される。
【０２７７】
制御部１６７は、表示装置１６における一連の情報処理の制御、及び、表示装置１６内の各機能ブロックの間の処理の受け渡しを行う。また、制御部１６７は、合成画像受信部１６１が受信した設定画像又は一般画像を表示部１１２に表示することで、ユーザに提示する。すなわち、受信した設定画像又は一般画像が、ユーザへ提供される。
【０２７８】
図２６Ｂは、本実施の形態に係る処理サーバ２３の機能ブロック図の例である。
【０２７９】
図２６Ｂに示されるように、処理サーバ２３は、画像受信部２３１と、基準コマンド分離部２３２と、家電リスト取得部２３３と、対応家電判定部２３４と、マーク合成部２３５と、マーク記憶部２３６と、画像送信部２３７とを有する。
【０２８０】
画像受信部２３１は、蓄積サーバ４１から電気機器の設定情報が埋め込まれた画像データ、又は、一般画像の画像データを受信する。
【０２８１】
基準コマンド分離部２３２は、画像受信部２３１が受信した画像データのうち、電気機器の設定情報が埋め込まれた画像データから、電気機器の設定情報を分離する（取り出す）。
【０２８２】
家電リスト取得部２３３は、ユーザが保有している電気機器のリスト（家電リスト）を、取得または生成する。
【０２８３】
対応家電判定部２３４は、家電リスト取得部２３３が取得した家電リストの中から、基準コマンド分離部２３２が分離した設定情報が示す処理を施すことができる電気機器を検索する。対応家電判定部２３４は、実施の形態５における表示装置１５の対応家電判定部１５１３と同様の処理を行う。
【０２８４】
マーク合成部２３５は、対応家電判定部２３４の判定結果に基づいて、設定画像にマークを重畳するように合成する。マーク合成部２３５は、実施の形態５における表示装置１５のマーク合成部１５１６と同様の処理を行う。
【０２８５】
マーク記憶部２３６は、設定画像に付加されるマークを保持する。マーク記憶部２３６は、実施の形態５における表示装置１５のマーク記憶部１５１５と同様の処理を行う。
【０２８６】
画像送信部２３７は、マーク合成部２３５がマークを合成した設定画像又は一般画像を表示装置１６に送信する。
【０２８７】
図２７は、本実施の形態に係る表示装置及び処理サーバの処理の例を示す第一のシーケンス図である。図２８は、本実施の形態に係る表示装置及び処理サーバの処理の例を示す第二のシーケンス図である。これらの図を参照しながら、本実施の形態に係る表示装置の処理について説明する。なお、図２７及び図２８において、ステップＳ２７０１、及び、ステップＳ２７２１からステップＳ２３０４までは、同一の処理が記述されている。ステップＳ２７２４の判定結果がＹＥＳの場合には、図２７におけるステップＳ２７２５以降の処理が行われる。また、ステップＳ２７２４の判定結果がＮＯの場合には、図２８におけるステップＳ２８２１以降の処理が行われる。
【０２８８】
まず、表示装置１６は、ユーザによる画像一覧の取得の指示を受け付ける（ステップＳ２７０１）。表示装置１６の操作部１１４は、ユーザによる画像一覧の取得の指示を受け付けると、移動網通信部１１８及び移動網通信アンテナ１１９を通じて処理サーバ２３に対して当該指示を送信する。
【０２８９】
次に、処理サーバ２３は、蓄積サーバ４１から画像データを取得する（ステップＳ２７２１）。処理サーバ２３の画像受信部２３１は、移動網通信部１１８及び移動網通信アンテナ１１９を通じて蓄積サーバ４１から画像データを取得する。
【０２９０】
次に、処理サーバ２３は、設定画像の画像データの埋め込みデータから、基準コマンドおよび品番を取得する（ステップＳ２７２２）。処理サーバ２３の基準コマンド分離部２３２は、設定画像の埋め込みデータとして格納されている基準コマンドを分離する（取り出す）。
【０２９１】
次に、処理サーバ２３は、表示装置のユーザが保有する電気機器のリストである家電リストを取得する（ステップＳ２７２３）。
【０２９２】
次に、処理サーバ２３は、設定画像の画像データに、ユーザが保有している電気機器に対応する基準コマンドが埋め込まれているか否かを判定する（ステップＳ２７２４）。処理サーバ２３の対応家電判定部２３４は、基準コマンド分離部２３２が分離した（取り出した）基準コマンドが示す処理を施すことができる電気機器を、家電リスト取得部２３３が取得した家電リストの中から検索する。その結果、当該電気機器が家電リストの中に存在する場合は、基準コマンドが埋め込まれていると判定され、ステップＳ２７２５の処理に移る。また、当該電気機器が家電リストの中に存在しない場合は、基準コマンドが埋め込まれていないと判定され、図２８のステップＳ２８２１の処理に移る。
【０２９３】
すなわち、分離された基準コマンドが家電リストの中のいずれかの家電において実行可能な形式の情報に変換できる場合に、基準コマンドが埋め込まれていると判定される。分離された基準コマンドが家電リストの中のいずれかの家電において実行可能な形式の情報である場合も、基準コマンドが埋め込まれていると判定されてもよい。
【０２９４】
次に、処理サーバ２３は、家電設定コマンドに対応するマークを選択する（ステップＳ２７２５）。処理サーバ２３のマーク合成部２３５は、マーク記憶部２３６に記憶されているマークの中から、ステップＳ２７２４で家電リストから検索された電気機器に対応するマークを、設定マークとして選択する。
【０２９５】
次に、処理サーバ２３は、設定画像に設定マークを合成する（ステップＳ２７２６）。処理サーバ２３のマーク合成部２３５は、ステップＳ２７２５で選択した設定マークを、設定画像に重畳するように合成する。
【０２９６】
次に、処理サーバ２３は、設定マークが合成された画像を表示装置に送信する（ステップＳ２７２７）。
【０２９７】
次に、表示装置１６は、設定マークが合成された画像を処理サーバ２３から受信する（ステップＳ２７０２）。すなわち、設定マークが合成された画像が、ユーザが使用する表示装置１６へ提供される。
【０２９８】
次に、表示装置１６は、設定マークが合成された画像を表示する（ステップＳ２７０３）。表示装置１６の表示部１１２は、ステップＳ２７２６で設定マークが合成された画像を表示することで、ユーザに提示する。すなわち、設定マークが合成された画像が、ユーザへ提供される。
【０２９９】
次に、表示装置１６は、ユーザによる画像の選択を受け付ける（ステップＳ２７０４）。表示装置１６の操作部１１４は、ユーザの操作による画像の選択を受け付ける。本ステップでの画像の表示は、例えば、図２３Ａの（ａ）のようになる。
【０３００】
次に、表示装置１６は、設定画像に埋め込みデータとして格納されている基準コマンドを、ユーザが保有する電気機器の設定コマンドに変換する（ステップＳ２７０５）。
【０３０１】
次に、表示装置１６は、家電設定コマンドを端末機器３３に送信する（ステップＳ２７０６）。ここで、家電設定コマンドを送信するか否かをユーザに問い合わせるインタフェースを提供してもよい。本ステップでの画像の表示は、例えば、図２３Ａの（ｂ）のようになる。
【０３０２】
次に、端末機器３３は、ステップＳ２７０６で表示装置が送信した家電設定コマンドを受信し、物品に処理を施す（ステップＳ２７１１）。
【０３０３】
以上の処理により、蓄積サーバ４１に保存されている電気機器の設定情報を含む画像データを受信し、ユーザが保有する電気機器において、当該設定情報が示す処理を物品に施すことができる。
【０３０４】
次に、ステップＳ２７２４で、当該電気機器が家電リストの中に存在せず、基準コマンドが埋め込まれていないと判定された場合について、図２８を参照しながら説明する。
【０３０５】
処理サーバ２３は、設定画像の設定情報が示す処理を施すことができる電気機器に関する情報を取得する（ステップＳ２８２１）。処理サーバ２３の対応家電判定部２３４は、設定画像に埋め込みデータとして格納されている設定情報が示す処理を施すことができる電気機器に関する情報を取得する。
【０３０６】
次に、処理サーバ２３は、画像データに設定情報が格納されている画像であることを示すマークを、通知マークとして取得する（ステップＳ２８２２）。処理サーバ２３のマーク記憶部２３６は、画像データに設定情報が格納されている画像であることを示す通知マークを処理サーバ２３の外部から取得する。なお、当該通知マークがあらかじめマーク記憶部２３６に記憶されている場合には、本ステップの処理は行われなくてもよい。
【０３０７】
次に、処理サーバ２３は、ステップＳ２８２２で取得した通知マークを画像に合成する（ステップＳ２８２３）。処理サーバ２３のマーク合成部２３５は、ステップＳ２８２２で取得した通知マークを画像に重畳するように合成する。
【０３０８】
次に、処理サーバ２３は、通知マークが合成された画像を表示装置１６に送信する（ステップＳ２８２４）。
【０３０９】
次に、表示装置１６は、通知マークが合成された画像を処理サーバ２３から取得する（ステップＳ２８０１）。すなわち、通知マークが合成された画像が、ユーザが使用する表示装置１６へ提供される。
【０３１０】
次に、表示装置１６は、通知マークが合成された画像を表示する（ステップＳ２８０２）。表示装置１６の表示部１１２は、ステップＳ２８２３で通知マークが合成された画像を表示することで、ユーザに提示する。すなわち、通知マークが合成された画像が、ユーザへ提供される。このとき、通知マークが合成された画像を含む画像に対してユーザの選択を受け付けるインタフェースを提供してもよい。本ステップでの画像の表示は、例えば、図２３Ａの（ａ）のようになる。
【０３１１】
次に、表示装置１６は、ユーザによる画像の選択を受け付ける（ステップＳ２８０３）。表示装置１６の操作部１１４は、ユーザの操作による画像の選択を受け付ける。
【０３１２】
次に、表示装置１６は、ユーザにより選択された画像に関連する情報を表示する（ステップＳ２８０４）。表示装置１６の表示部１１２は、当該画像に埋め込みデータとして格納されている設定情報が示す処理を施すことができる電気機器の情報を表示する。本ステップでの画像の表示は、例えば、図２３Ａの（ｃ）のようになる。
【０３１３】
以上の処理により、蓄積サーバ４１に保存されている電気機器の設定情報を含む画像データを受信し、その設定情報が示す処理を施すことができる電気機器の種別をユーザに通知することもできる。
【０３１４】
以上のように、本実施の形態に係る通信方法によれば、画像とともに表示するマークを画像に付加する処理を、処理サーバにおいて行うことができる。当該処理には家電リストや変換テーブルが必要とされ、処理が複雑になる場合もある。処理サーバにおいて、当該処理を行うことにより、表示装置の処理負荷が増大するのを未然に防ぐことができる。
【０３１５】
なお、上記各実施の形態において、各装置（実施の形態１及び２における通信装置、実施の形態３及び４における機器制御装置、並びに、実施の形態５及び６における表示装置）における処理のユーザインターフェースを提供するステップも、本発明の範囲に含まれる。すなわち、各装置とユーザとのインタフェースとなるインタフェース端末であって、各装置の表示部及び操作部と同等の機能と、各装置との通信を行う通信インタフェースとを備えるインタフェース端末がある。各装置がインタフェース端末に、インタフェース端末の表示部に表示するための表示データを送信する。また、インタフェース端末が各装置に、インタフェース端末の操作部が受け付けたユーザの操作を送信する。各装置が、このようなインタフェース端末にユーザとのインタフェースを提供するステップも、本発明の範囲に含まれる。
【０３１６】
なお、上記の各実施の形態における通信装置等（通信装置、機器制御装置、又は、表示装置）において実行されるプログラムをプログラムサーバに格納しておき、情報端末が当該プログラムをダウンロードして実行することによって、通信装置等として機能するようにしてもよい。つまり、図２９のように、情報端末１７がプログラムサーバ４２とネットワークを介して接続されている構成において、情報端末１７がプログラムサーバ４２からプログラムをダウンロードして実行することで、通信装置等として機能するようにしてもよい。さらに、上記のプログラムサーバは、記憶媒体に含まれる形態で実現されてもよい。
【０３１７】
なお、上記各実施の形態において各装置（実施の形態１及び２における通信装置、実施の形態３及び４における機器制御装置、並びに、実施の形態５及び６における表示装置）が行うと説明した処理は、当該装置で行う代わりに、上記の他の装置によって実現されてもよいし、当該装置と上記の他の装置とにおいて実行される処理を組み合わせて実現されてもよい。つまり、各処理は、上記各実施の形態におけるどの装置で行われてもよい。
【０３１８】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の通信装置又は機器制御装置などを実現するソフトウェアは、次のようなプログラムである。
【０３１９】
すなわち、このプログラムは、コンピュータに、第一電気機器に処理を施された物品を被写体とする画像の画像データであって、前記第一電気機器が前記処理を前記物品に施したときの第一設定情報を前記画像データの埋め込みデータとして含む画像データを受信する画像受信ステップと、前記画像受信ステップで受信した前記画像データに含まれる前記第一設定情報を、ユーザが保有する第二電気機器に適合する形式である第二設定情報に変換することができると判定される場合に、前記画像データに第一のマークを付加するマーク付加ステップと、前記マーク付加ステップで前記第一のマークを付加した後の前記画像データの画像を表示する表示ステップとを実行させる。
【０３２０】
以上、一つまたは複数の態様に係る表示装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０３２１】
本発明にかかる通信方法等より、電気機器で処理を施された物品の画像とともに、当該処理時の電気機器の設定情報を共有することができる。
【符号の説明】
【０３２２】
１、２、３、４、５、６    機器制御システム
１１、１２    通信装置
１３、１４    機器制御装置
１５、１６    表示装置
１７    情報端末
２１、２２、２３    処理サーバ
３１、３２、３３    端末機器
４１    蓄積サーバ
４２    プログラムサーバ
５１、５２    パン（物品）
１１１    家電設定コマンド合成部
１１２    表示部
１１３    カメラ
１１４    操作部
１１５    近接無線通信部
１１６    近接無線通信アンテナ
１１７、１２７、１３７、１４７、１５７、１６７    制御部
１１８    移動網通信部
１１９    移動網通信アンテナ
１２１    家電設定コマンド合成部
１３１、１４１    家電設定コマンド取得部
１５１    マーク付加部
１６１    合成画像受信部
２１２    家電設定コマンド受信部
２１３、２２２    基準値生成部
２１４    識別情報生成部
２１５、１４１４    識別情報送信部
２１６    基準値記憶部
２２１    識別情報取得部
２２３、１３１４    家電設定コマンド変換部
２２４    家電設定コマンド送信部
２２５    基準値記憶部
２２６    変換テーブル記憶部
２２７、２３３、１３１５、１５１４    家電リスト取得部
２３１、１５１１    画像受信部
２３２、１３１３、１５１２    基準コマンド分離部
２３４、１５１３    対応家電判定部
２３５、１５１６    マーク合成部
２３６、１５１５    マーク記憶部
２３７    画像送信部
１１１１、１２１１    家電設定コマンド取得部
１１１２    基準値生成部
１１１３、１２１３    合成部
１１１４、１２１４    画像生成部
１２１２    識別情報取得部
１３１１    変換テーブル記憶部
１３１２、１４１２    画像取得部
１４１１    家電設定コマンド受信部
１４１３    識別情報分離部
１５１３Ａ  登録家電判定部
１５１３Ｂ  非登録家電表示選択部
１５１３Ｃ  マーク画像決定部
【図１】
2014054220.tif 000003
【図２】
2014054220.tif 000004
【図３】
2014054220.tif 000005
【図４】
2014054220.tif 000006
【図５】
2014054220.tif 000007
【図６Ａ】
2014054220.tif 000008
【図６Ｂ】
2014054220.tif 000009
【図７】
2014054220.tif 000010
【図８】
2014054220.tif 000011
【図９Ａ】
2014054220.tif 000012
【図９Ｂ】
2014054220.tif 000013
【図１０】
2014054220.tif 000014
【図１１】
2014054220.tif 000015
【図１２】
2014054220.tif 000016
【図１３】
2014054220.tif 000017
【図１４】
2014054220.tif 000018
【図１５】
2014054220.tif 000019
【図１６Ａ】
2014054220.tif 000020
【図１６Ｂ】
2014054220.tif 000021
【図１７】
2014054220.tif 000022
【図１８】
2014054220.tif 000023
【図１９】
2014054220.tif 000024
【図２０】
2014054220.tif 000025
【図２１】
2014054220.tif 000026
【図２２】
2014054220.tif 000027
【図２３Ａ】
2014054220.tif 000028
【図２３Ｂ】
2014054220.tif 000029
【図２３Ｃ】
2014054220.tif 000030
【図２４Ａ】
2014054220.tif 000031
【図２４Ｂ】
2014054220.tif 000032
【図２５】
2014054220.tif 000033
【図２６Ａ】
2014054220.tif 000034
【図２６Ｂ】
2014054220.tif 000035
【図２７】
2014054220.tif 000036
【図２８】
2014054220.tif 000037
【図２９】
2014054220.tif 000038
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
電気機器により処理が施された物品の画像データを生成し、
前記物品に施される前記処理を示す前記電気機器の設定情報を取得し、
取得された前記設定情報を変換することで、汎用形式の設定情報である基準設定情報を生成し、
生成された前記画像データに、生成された前記基準設定情報を付加することにより、合成データを生成し、
生成された前記合成データを蓄積サーバへ送信する
通信方法。
【請求項２】
電気機器により処理が施された物品の画像データを生成し、
前記物品に施される前記処理を示す前記電気機器の設定情報を前記電気機器から取得し、
取得された前記設定情報を変換することで、汎用形式の設定情報である基準設定情報を生成し、
生成された前記画像データに、生成された前記基準設定情報を付加することにより、合成データを生成し、
生成された前記合成データを蓄積サーバへ送信する
通信方法。
【請求項３】
前記通信方法では、
前記電気機器の特定機種の専用形式の設定情報に対応付けて、前記電気機器の機種に依存しない汎用形式の設定情報を格納する変換テーブルを参照して、取得された前記設定情報を変換して、前記基準設定情報を生成する
請求項２に記載の通信方法。
【請求項４】
電気機器により処理が施された物品の画像データを生成し、
前記物品に施される前記処理を示す前記電気機器の特定機種の専用形式の設定情報を取得し、
前記電気機器の特定機種の専用形式の設定情報に対応付けて、前記電気機器の機種に依存しない汎用形式の設定情報を格納する変換テーブルを参照して、取得された前記設定情報を変換することで、汎用形式の設定情報である基準設定情報を生成し、
生成された前記画像データに、生成された前記基準設定情報を付加することにより、合成データを生成し、
生成された前記合成データを蓄積サーバへ送信する
通信方法。
【請求項５】
電気機器により処理が施された物品の画像データを生成し、
前記物品に施される前記処理を示す前記電気機器の設定情報を取得し、
取得された前記設定情報を処理サーバへ送信し、前記設定情報から変換された汎用形式の設定情報である基準設定情報を特定する情報を前記処理サーバより取得し、
生成された前記画像データに、取得された前記基準設定情報を特定する情報を付加することにより、合成データを生成し、
生成された前記合成データを蓄積サーバへ送信する
通信方法。
【請求項６】
電気機器により処理が施された物品の画像データを生成し、
前記物品に施される前記処理を示す前記電気機器の設定情報を前記電気機器から取得し、
生成された前記画像データに、取得された前記設定情報を付加することにより、合成データを生成し、
生成された前記合成データを蓄積サーバへ送信する
通信方法。
【請求項７】
前記通信方法では、
Ｅｘｉｆ（Exchangeable image file format）規格に準拠した形式で、前記画像データに対して前記基準設定情報を付加することにより、前記合成データを生成する
請求項１〜５のいずれか１項に記載の通信方法。
【請求項８】
物品を被写体とする画像の画像データを含むデータであって、前記物品に対して第一電気機器により施される処理を示す第一設定情報を付加された合成データを取得し、
取得された前記合成データから、前記第一設定情報を分離し、
ユーザによって予め指定される電気機器のうち、取得された前記第一設定情報が示す処理を施すことができる電気機器である第二電気機器により実行可能な形式の第二設定情報へ、分離された前記第一設定情報を変換し、
変換されることで生成された前記第二設定情報を前記第二電気機器に送信する
機器制御方法。
【請求項９】
物品を被写体とする画像の画像データを含むデータであって、前記物品に対して第一電気機器により施される処理を示す第一設定情報を付加された合成データを、蓄積サーバから取得し、
取得された前記合成データから、前記第一設定情報を分離し、
分離された前記第一設定情報を処理サーバへ送信し、
ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信し、
受信された前記第二設定情報を前記第二電気機器に送信する
機器制御方法。
【請求項１０】
前記機器制御方法では、
前記ユーザによって予め指定される電気機器のうち、前記ユーザの操作により入力される電気機器特定情報により特定される電気機器である前記第二電気機器により実行可能な形式の第二設定情報へ、分離された前記第一設定情報を変換する
請求項８又は９に記載の機器制御方法。
【請求項１１】
前記機器制御方法では、
記憶部に記憶される、前記第一設定情報と前記第二設定情報との変換テーブルを参照して、分離された前記第一設定情報を変換する
請求項８〜１０のいずれか１項に記載の機器制御方法。
【請求項１２】
前記機器制御方法では、
前記第一設定情報は、汎用形式の設定情報である
請求項８〜１１のいずれか１項に記載の機器制御方法。
【請求項１３】
電気機器により処理が施された物品の画像データの送信を受け付けるインタフェースを提供するステップと、
前記物品に施された前記処理を示す前記電気機器の設定情報の送信を受け付けるインタフェースを提供するステップと、
汎用形式の設定情報であって、前記物品に施された処理を示す前記電気機器の設定情報を変換することにより得られる基準設定情報を、送信された前記画像データに付加することにより生成される合成データを特定する情報を提供するインタフェースを提供するステップとを含む
インタフェース提供方法。
【請求項１４】
第一電気機器に処理を施された物品を被写体とする画像の画像データに、前記第一電気機器が前記処理を前記物品に施したときの設定情報を示す第一設定情報を付加された合成データを送信することの要求を受け付けるインタフェースを提供するステップと、
前記合成データから分離された第一設定情報を、ユーザにより予め指定される電気機器のうち、分離された前記第一設定情報が示す処理を施すことができる電気機器である第二電気機器により実行可能な形式に変換することで得られる第二設定情報を、前記第二電気機器に送信することを促すインタフェースを提供するステップとを含む
インタフェース提供方法。
【請求項１５】
請求項１に記載の通信方法をコンピュータに実行させるためのプログラムが記載された記録媒体。
【請求項１６】
請求項８に記載の機器制御方法をコンピュータに実行させるためのプログラムが記載された記録媒体。
【請求項１７】
電気機器により処理が施された物品の画像データを生成する画像生成部と、
前記物品に施される前記処理を示す前記電気機器の設定情報を取得する設定情報取得部と、
取得された前記設定情報を変換することで、汎用形式の設定情報である基準設定情報を生成する基準設定情報生成部と、
生成された前記画像データに、生成された前記基準設定情報を付加することにより、合成データを生成する合成部と、
生成された前記合成データを蓄積サーバへ送信する送信部とを備える
通信装置。
【請求項１８】
電気機器により処理が施された物品の画像データを生成する画像生成部と、
前記物品に施される前記処理を示す前記電気機器の設定情報を取得する設定情報取得部と、
取得された前記設定情報を処理サーバへ送信し、前記設定情報から変換された汎用形式の設定情報である基準設定情報を特定する情報を前記処理サーバより取得する基準設定情報取得部と、
生成された前記画像データに、取得された前記基準設定情報を特定する情報を付加することにより、合成データを生成する合成部と、
生成された前記合成データを蓄積サーバへ送信する送信部とを備える
通信装置。
【請求項１９】
物品を被写体とする画像の画像データを含むデータであって、前記物品に対して第一電気機器により施される処理を示す第一設定情報を付加された合成データを取得する画像データ取得部と、
取得された前記合成データから、前記第一設定情報を分離する設定情報分離部と、
ユーザによって予め指定される電気機器のうち、取得された前記第一設定情報が示す処理を施すことができる電気機器である第二電気機器により実行可能な形式の第二設定情報へ、分離された前記第一設定情報を変換する設定情報変換部と、
変換されることで生成された前記第二設定情報を前記第二電気機器に送信する送信部とを備える
機器制御装置。
【請求項２０】
物品を被写体とする画像の画像データを含むデータであって、前記物品に対して第一電気機器により施される処理を示す第一設定情報を付加された合成データを、蓄積サーバから取得する画像データ取得部と、
取得された前記合成データから、前記第一設定情報を分離する設定情報分離部と、
分離された前記第一設定情報を処理サーバへ送信する設定情報送信部と、
ユーザにより予め定められる電気機器のうち、送信された前記第一設定情報が示す処理を施すことができる電気機器である第二電気機器により実行可能な形式の第二設定情報に変換されることで生成される第二設定情報を、前記処理サーバより受信する設定情報受信部と、
受信された前記第二設定情報を前記第二電気機器に送信する送信部とを備える
機器制御装置。
【手続補正２】
【補正対象書類名】明細書
【補正対象項目名】００１７
【補正方法】変更
【補正の内容】
【００１７】
このような問題を解決するために、本発明の一様態に係る通信方法は、電気機器により処理が施された物品の画像データを生成し、前記物品に施される前記処理を示す前記電気機器の設定情報を取得し、取得された前記設定情報を変換することで、汎用形式の設定情報である基準設定情報を生成し、生成された前記画像データに、生成された前記基準設定情報を付加することにより、合成データを生成し、生成された前記合成データを蓄積サーバへ送信する通信方法である。
例えば、電気機器により処理が施された物品の画像データを生成し、前記物品に施される前記処理を示す前記電気機器の設定情報を前記電気機器から取得し、取得された前記設定情報を変換することで、汎用形式の設定情報である基準設定情報を生成し、生成された前記画像データに、生成された前記基準設定情報を付加することにより、合成データを生成し、生成された前記合成データを蓄積サーバへ送信する通信方法であるとしてもよい。
【手続補正３】
【補正対象書類名】明細書
【補正対象項目名】００２１
【補正方法】変更
【補正の内容】
【００２１】
例えば、前記通信方法では、前記電気機器の特定機種の専用形式の設定情報に対応付けて、前記電気機器の機種に依存しない汎用形式の設定情報を格納する変換テーブルを参照して、取得された前記設定情報を変換して、前記基準設定情報を生成する。
例えば、電気機器により処理が施された物品の画像データを生成し、前記物品に施される前記処理を示す前記電気機器の特定機種の専用形式の設定情報を取得し、前記電気機器の特定機種の専用形式の設定情報に対応付けて、前記電気機器の機種に依存しない汎用形式の設定情報を格納する変換テーブルを参照して、取得された前記設定情報を変換することで、汎用形式の設定情報である基準設定情報を生成し、生成された前記画像データに、生成された前記基準設定情報を付加することにより、合成データを生成し、生成された前記合成データを蓄積サーバへ送信する通信方法としてもよい。
【国際調査報告】
2014054220.tif 000039
2014054220.tif 000040